(57)【要約】【課題】個人情報の不用意な流出・漏洩や個人情報の不正利用などを確実に防止し、個人情報の保護を実現する。【解決手段】被提供者（端末３０）による電子ファイル（例えば個人情報を含む）に対するアクセスを、ファイルアクセス管理サーバ２０によって管理し、予め設定されたアクセス制限内に制限する。電子ファイルに含まれる提供情報を登録した登録者本人（端末４０）は、アプリケーションサーバ５０を介して、自分の提供情報を含む電子ファイルのアクセス制限を変更することが可能に構成される。【選択図】図１
2006215922.tif 000002
【特許請求の範囲】
【請求項１】
電子ファイルを提供する提供者側の端末（以下、提供者端末という）と、
該電子ファイルに対するアクセスを管理するファイルアクセス管理サーバと、
該提供者から提供された該電子ファイルに対するアクセスを行なう被提供者側の端末（以下、被提供者端末という）と、
該電子ファイルに含まれる提供情報を該提供者端末に登録する登録者側の端末（以下、登録者端末という）と、
該登録者端末からの要求に応じて、該ファイルアクセス管理サーバにおける、該提供情報を含む電子ファイルについての設定を変更しうるアプリケーションサーバとをそなえて構成され、
該提供者端末が、
該被提供者の該電子ファイルに対するアクセス制限を該ファイルアクセス管理サーバに設定するアクセス制限設定手段と、
所定の暗号鍵を用いて該電子ファイルを暗号化することにより、該被提供者に提供される暗号化電子ファイルを作成する暗号化手段とをそなえて構成され、
該ファイルアクセス管理サーバが、
該暗号化電子ファイルに対するアクセスを行なう該被提供者端末から該被提供者の認証情報を受信すると、該認証情報に基づいて該被提供者が該暗号化電子ファイルの正当な利用者であるか否かの認証判定を行なう被提供者認証手段と、
該被提供者端末による該暗号化電子ファイルに対するアクセスが該アクセス制限内であるか否かの判定を行なう判定手段と、
該被提供者認証手段により該被提供者が正当な利用者であることが認証され且つ該判定手段により該アクセスが該アクセス制限内であると判定された場合に、該暗号化電子ファイルを復号化する復号鍵を該被提供者端末に送信する復号鍵送信手段とをそなえて構成され、
該被提供者端末が、
該暗号化電子ファイルの開封時に該ファイルアクセス管理サーバに対して該被提供者の認証情報を送信して認証要求を行なう認証要求手段と、
該ファイルアクセス管理サーバから該復号鍵を受信すると、該復号鍵を用いて該暗号化電子ファイルを復号化することにより該電子ファイルを復元する復号化手段とをそなえて構成され、
該登録者端末が、
該電子ファイルに含まれる提供情報を該提供者端末に登録する登録手段と、
該ファイルアクセス管理サーバに設定されている、該提供情報を含む電子ファイルに対するアクセス制限の変更要求を、該登録者の認証情報とともに、該アプリケーションサーバに対して発行するアクセス制限変更要求手段とをそなえて構成され、
該アプリケーションサーバが、
該登録者端末から該登録者の認証情報を受信すると、該認証情報に基づいて該登録者が該電子ファイルに含まれる提供情報の正当な登録者であるか否かの認証判定を行なう登録者認証手段と、
該登録者認証手段により該登録者が正当な登録者であることが認証された場合に、該登録者端末からの該変更要求に応じて、該ファイルアクセス管理サーバに設定されている該電子ファイルに対する該アクセス制限の変更を行なうアクセス制限変更手段とをそなえて構成されていることを特徴とする、電子ファイル管理システム。
【請求項２】
該登録者端末が、該登録手段により該提供情報を該提供者端末に登録する際に、該提供情報を含む電子ファイルに対するアクセス制限を該登録者自身により指定して該提供者端末に通知するアクセス制限通知手段をさらにそなえて構成され、
該提供者端末の該アクセス制限設定手段が、該登録者端末から通知されたアクセス制限を、該被提供者の該電子ファイルに対するアクセス制限として該ファイルアクセス管理サーバに設定することを特徴とする、請求項１記載の電子ファイル管理システム。
【請求項３】
該提供者端末が、該暗号化電子ファイルを提供する被提供者に関する提供先情報を該登録者端末に通知する提供先通知手段をさらにそなえて構成され、
該登録者端末が、該提供先情報を受信すると、該提供先情報を参照した該登録者の該提供先情報に対する回答を該提供者端末に返信する応答手段をさらにそなえて構成され、
該提供者端末が、該登録者端末からの該回答に従って暗号化電子ファイルの配布もしくは各被提供者端末に対する対応を行なうことを特徴とする、請求項１または請求項２に記載の電子ファイル管理システム。
【請求項４】
該アクセス制限として、該電子ファイルに対するアクセス可能期間が設定されることを特徴とする、請求項１〜請求項３のいずれか一項に記載の電子ファイル管理システム。
【請求項５】
該アクセス制限として、該電子ファイルに対するアクセス権が設定されることを特徴とする、請求項１〜請求項４のいずれか一項に記載の電子ファイル管理システム。
【請求項６】
該被提供者端末が、該電子ファイルの内容に対するクエリを、該被提供者の認証情報とともに、該アプリケーションサーバに対して発行するクエリ発行手段をさらにそなえて構成され、
該アプリケーションサーバが、該被提供者端末から該被提供者の認証情報を受信すると、該認証情報に基づいて該被提供者が該電子ファイルの正当な利用者であるか否かの認証判定を行なう被提供者認証手段をさらにそなえて構成され、
該アプリケーションサーバにおいて、該被提供者認証手段により該被提供者が該電子ファイルの正当な利用者であることが認証された場合に、該アクセス制限変更手段が、該被提供者端末からの該クエリに応じて、該ファイルアクセス管理サーバに設定されている該電子ファイルに対する該アクセス制限の変更を行なうことを特徴とする、請求項１〜請求項５のいずれか一項に記載の電子ファイル管理システム。
【請求項７】
該提供情報が、該登録者の個人情報であることを特徴とする、請求項１〜請求項６のいずれか一項に記載の電子ファイル管理システム。
【請求項８】
該個人情報として、該登録者の経歴情報が含まれていることを特徴とする、請求項７記載の電子ファイル管理システム。
【請求項９】
該個人情報として、該登録者に係る画像情報が含まれていることを特徴とする、請求項７または請求項８に記載の電子ファイル管理システム。
【請求項１０】
該画像情報として、動画像が含まれていることを特徴とする、請求項９記載の電子ファイル管理システム。
【請求項１１】
該個人情報として、該登録者に係る音声情報が含まれていることを特徴とする、請求項７〜請求項１０のいずれか一項に記載の電子ファイル管理システム。
【請求項１２】
電子ファイルを提供する提供者側の端末（以下、提供者端末という）としてコンピュータを機能させる第１プログラムと、
該電子ファイルに対するアクセスを管理するファイルアクセス管理サーバとしてコンピュータを機能させる第２プログラムと、
該提供者から提供された該電子ファイルに対するアクセスを行なう被提供者側の端末（以下、被提供者端末という）としてコンピュータを機能させる第３プログラムと、
該電子ファイルに含まれる提供情報を該提供者端末に登録する登録者側の端末（以下、登録者端末という）としてコンピュータを機能させる第４プログラムと、
該登録者端末からの要求に応じて、該ファイルアクセス管理サーバにおける、該提供情報を含む電子ファイルについての設定を変更しうるアプリケーションサーバとしてコンピュータを機能させる第５プログラムとのうちの少なくとも一つのプログラムを含み、
該第１プログラムが、
該被提供者の該電子ファイルに対するアクセス制限を該ファイルアクセス管理サーバに設定するアクセス制限設定手段、および、
所定の暗号鍵を用いて該電子ファイルを暗号化することにより、該被提供者に提供される暗号化電子ファイルを作成する暗号化手段としてコンピュータを機能させ、
該第２プログラムが、
該暗号化電子ファイルに対するアクセスを行なう該被提供者端末から該被提供者の認証情報を受信すると、該認証情報に基づいて該被提供者が該暗号化電子ファイルの正当な利用者であるか否かの認証判定を行なう被提供者認証手段、
該被提供者端末による該暗号化電子ファイルに対するアクセスが該アクセス制限内であるか否かの判定を行なう判定手段、および、
該被提供者認証手段により該被提供者が正当な利用者であることが認証され且つ該判定手段により該アクセスが該アクセス制限内であると判定された場合に、該暗号化電子ファイルを復号化する復号鍵を該被提供者端末に送信する復号鍵送信手段としてコンピュータを機能させ、
該第３プログラムが、
該暗号化電子ファイルの開封時に該ファイルアクセス管理サーバに対して該被提供者の認証情報を送信して認証要求を行なう認証要求手段、および、
該ファイルアクセス管理サーバから該復号鍵を受信すると、該復号鍵を用いて該暗号化電子ファイルを復号化することにより該電子ファイルを復元する復号化手段としてコンピュータを機能させ、
該第４プログラムが、
該電子ファイルに含まれる提供情報を該提供者端末に登録する登録手段、および、
該ファイルアクセス管理サーバに設定されている、該提供情報を含む電子ファイルに対するアクセス制限の変更要求を、該登録者の認証情報とともに、該アプリケーションサーバに対して発行するアクセス制限変更要求手段としてコンピュータを機能させ、
該第５プログラムが、
該登録者端末から該登録者の認証情報を受信すると、該認証情報に基づいて該登録者が該電子ファイルに含まれる提供情報の正当な登録者であるか否かの認証判定を行なう登録者認証手段、および、
該登録者認証手段により該登録者が正当な登録者であることが認証された場合に、該登録者端末からの該変更要求に応じて、該ファイルアクセス管理サーバに設定されている該電子ファイルに対する該アクセス制限の変更を行なうアクセス制限変更手段としてコンピュータを機能させることを特徴とする、電子ファイル管理プログラム。
【請求項１３】
該第４プログラムが、コンピュータを該登録者端末として機能させ該登録手段により該提供情報を該提供者端末に登録する際に、該提供情報を含む電子ファイルに対するアクセス制限を該登録者自身により指定して該提供者端末に通知するアクセス制限通知手段として当該コンピュータをさらに機能させ、
該第２プログラムが、コンピュータを該アクセス制限設定手段として機能させる際に、該登録者端末から通知されたアクセス制限を、該被提供者の該電子ファイルに対するアクセス制限として該ファイルアクセス管理サーバに設定するように当該コンピュータを機能させることを特徴とする、請求項１２記載の電子ファイル管理プログラム。
【請求項１４】
該第１プログラムが、コンピュータを該提供者端末として機能させる際に、該暗号化電子ファイルを提供する被提供者に関する提供先情報を該登録者端末に通知する提供先通知手段を当該コンピュータをさらに機能させ、
該第４プログラムが、コンピュータを該登録者端末として機能させる際に、該提供先情報を受信すると、該提供先情報を参照した該登録者の該提供先情報に対する回答を該提供者端末に返信する応答手段として当該コンピュータをさらに機能させ、
該第１プログラムが、該登録者端末からの該回答に従って暗号化電子ファイルの配布もしくは各被提供者端末に対する対応を行なうように、該提供者端末としてのコンピュータを機能させることを特徴とする、請求項１２または請求項１３に記載の電子ファイル管理プログラム。
【請求項１５】
該第４プログラムが、コンピュータを該応答手段として機能させる際に、該回答として、該提供先情報を参照した該登録者によって行なわれた該被提供者の取捨選択の結果を、該提供者端末に返信するように当該コンピュータを機能させることを特徴とする、請求項１４記載の電子ファイル管理プログラム。
【請求項１６】
該第４プログラムが、コンピュータを該応答手段として機能させる際に、該回答として、該提供先情報に含まれる各被提供者に対し、該提供先情報を参照した該登録者によって指定された優先順位を、該提供者端末に返信するように当該コンピュータを機能させることを特徴とする、請求項１４または請求項１５に記載の電子ファイル管理プログラム。
【請求項１７】
該第４プログラムが、コンピュータを該応答手段として機能させる際に、該回答として、該提供先情報を参照した該登録者によって該被提供者毎に指定された、各被提供者に提供されるべき提供情報の内容を、該提供者端末に返信するように当該コンピュータを機能させることを特徴とする、請求項１４〜請求項１６のいずれか一項に記載の電子ファイル管理プログラム。
【請求項１８】
該第１プログラムが、コンピュータを該暗号化手段として機能させる際に、該被提供者毎に異なる暗号鍵を用いて、被提供者毎に指定された内容を該提供情報として含む電子ファイルを暗号化することにより、該被提供者に提供される暗号化電子ファイルを作成するように当該コンピュータを機能させることを特徴とする、請求項１７記載の電子ファイル管理プログラム。
【請求項１９】
該アクセス制限として、該電子ファイルに対するアクセス可能期間を設定することを特徴とする、請求項１２〜請求項１８のいずれか一項に記載の電子ファイル管理プログラム。
【請求項２０】
該アクセス制限として、該電子ファイルに対するアクセス権を設定することを特徴とする、請求項１２〜請求項１９のいずれか一項に記載の電子ファイル管理プログラム。
【請求項２１】
該第３プログラムが、コンピュータを該被提供者端末として機能させる際に、該電子ファイルの内容に対するクエリを、該被提供者の認証情報とともに、該アプリケーションサーバに対して発行するクエリ発行手段として当該コンピュータをさらに機能させ、
該第５プログラムが、コンピュータを該アプリケーションサーバとして機能させる際に、該被提供者端末から該被提供者の認証情報を受信すると、該認証情報に基づいて該被提供者が該電子ファイルの正当な利用者であるか否かの認証判定を行なう被提供者認証手段として当該コンピュータをさらに機能させるとともに、該被提供者認証手段により該被提供者が該電子ファイルの正当な利用者であることが認証された場合に、該アクセス制限変更手段が、該被提供者端末からの該クエリに応じて、該ファイルアクセス管理サーバに設定されている該電子ファイルに対する該アクセス制限の変更を行なうように当該コンピュータを機能させることを特徴とする、請求項１２〜請求項２０のいずれか一項に記載の電子ファイル管理プログラム。
【請求項２２】
該第５プログラムが、コンピュータを該アプリケーションサーバとして機能させる際に、該アクセス制限変更手段が、該クエリに応じて、該ファイルアクセス管理サーバに設定されている該電子ファイルに対する該アクセス制限の変更を行なうことにより、当該クエリを発行した被提供者端末以外の被提供者端末の、当該電子ファイルに対するアクセスを禁止するように当該コンピュータを機能させることを特徴とする、請求項２１記載の電子ファイル管理プログラム。
【請求項２３】
該第５プログラムが、コンピュータを該アプリケーションサーバとして機能させる際に、該アクセス制限変更手段が、当該電子ファイルに対するアクセスの禁止期限を設定し、当該クエリを発行した被提供者端末が該禁止期限内に該アプリケーションサーバに対して所定クエリを発行しなかった場合には、当該電子ファイルに対するアクセスの禁止を解除するように当該コンピュータを機能させることを特徴とする、請求項２２記載の電子ファイル管理プログラム。
【発明の詳細な説明】
【技術分野】
【０００１】
本発明は、例えば経歴情報等の個人情報を含む電子ファイルを企業等に配布・提供した場合に、その配布・提供先での電子ファイルに対するアクセスを管理して個人情報を保護できるようにした技術に関する。
【背景技術】
【０００２】
一般に、企業の人材募集などに際して、応募者は、例えば住所，氏名，電話番号，メールアドレス，学歴／職歴，資格，特技などの個人情報を記入し応募者自身の写真を貼付した履歴書を提出している。
また、近年では、情報端末やインターネットの普及に伴って、応募者が、パーソナルコンピュータ等の情報端末からインターネットを介して人材募集のホームページにアクセスし、そのホームページ上のエントリシート（電子経歴書フォーマット）に上述のごとき個人情報を記入したり顔写真などの画像情報を添付したりして、人材募集に応募する機会が多くなっている。エントリシートに入力された情報は企業側のサーバに蓄積・保存される。その際、画像情報として動画像を添付し、この動画像を応募者の自己アピール手段として用いることも行なわれている（例えば下記特許文献１参照）。このような動画像によって、応募者は、企業へ直接出向くことなく自己アピールすることが可能になる。
【０００３】
インターネットを介して情報入力を行なう応募手法の他にも、応募者側で、上述のような個人情報や画像情報を格納した電子ファイル〔電子経歴書；例えばＰＤＦ（Portable Document Format）ファイル〕を作成し、その電子ファイルをメールに添付して電子的に送付したりフレキシブルディスク，ＣＤ−Ｒなどの記録媒体に格納して物理的に送付したりして応募することもあり、電子ファイルによって提出された情報は、企業側で電子ファイルから読み出され企業側のサーバに蓄積・保存される。
【特許文献１】特開２００２−３４２４６８号公報
【発明の開示】
【発明が解決しようとする課題】
【０００４】
ところで、個人情報の保護の意識が高まる昨今、個人情報の不用意な流出・漏洩や個人情報の不正利用などを確実に防止することが望まれている。
しかしながら、上述のごとく履歴書を書類として提出した場合、履歴書による選考を終了した後に応募者が履歴書を企業から回収することは難しく、履歴書そのものやそのコピーによって応募者の個人情報が流出・漏洩するのを確実に防止することは困難である。
【０００５】
また、個人情報をエントリシートに記入したり電子ファイルに格納したりして提供した場合、その個人情報が、一旦、サーバ等に蓄積・保存されてしまうと、その個人情報を回収することは書類を回収することよりも困難である。電子情報は極めて容易にコピーできるため、電子情報として提供された個人情報はコピーされて流出・漏洩する可能性が書類よりも高い。このような個人情報の流出・漏洩の防止は、現状では、企業側の個人情報保護に対する意識や対応に依存するしかない。
【０００６】
このため、個人情報を含む電子ファイルを企業等に提供するような場合に、その個人情報の流出・漏洩を確実に防止しながら、企業側で個人情報の閲覧・参照（電子ファイルに対するアクセス）を可能にすることが望まれている。
例えば、企業等に人材を派遣する人材派遣会社では、派遣先企業に対し人材を紹介する際に、その人材についてのプロフィール（学歴，職歴，資格，写真などの情報を含む個人情報）を派遣先企業に配布・提供することになる。このように人材のプロフィールを電子ファイルで配布・提供した場合に、提供先企業での電子ファイルに対するアクセスを確実に制限し、個人情報の不用意な流出・漏洩や個人情報の不正利用などが生じないようにすることが、特に強く望まれている。
【０００７】
本発明は、このような課題に鑑み創案されたもので、個人情報を含む電子ファイルを配布・提供した場合にその配布・提供先での電子ファイルに対するアクセスを制限できるようにして、配布・提供先での個人情報保護に対する意識や対応に依存することなく、個人情報の不用意な流出・漏洩や個人情報の不正利用などを確実に防止し、個人情報の保護を実現することを目的としている。
【課題を解決するための手段】
【０００８】
上記目的を達成するために、本発明の電子ファイル管理システムは、電子ファイルを提供する提供者側の端末（以下、提供者端末という）と、該電子ファイルに対するアクセスを管理するファイルアクセス管理サーバと、該提供者から提供された該電子ファイルに対するアクセスを行なう被提供者側の端末（以下、被提供者端末という）と、該電子ファイルに含まれる提供情報を該提供者端末に登録する登録者側の端末（以下、登録者端末という）と、該登録者端末からの要求に応じて、該ファイルアクセス管理サーバにおける、該提供情報を含む電子ファイルについての設定を変更しうるアプリケーションサーバとをそなえて構成され、該提供者端末が、該被提供者の該電子ファイルに対するアクセス制限を該ファイルアクセス管理サーバに設定するアクセス制限設定手段と、所定の暗号鍵を用いて該電子ファイルを暗号化することにより、該被提供者に提供される暗号化電子ファイルを作成する暗号化手段とをそなえて構成され、該ファイルアクセス管理サーバが、該暗号化電子ファイルに対するアクセスを行なう該被提供者端末から該被提供者の認証情報を受信すると、該認証情報に基づいて該被提供者が該暗号化電子ファイルの正当な利用者であるか否かの認証判定を行なう被提供者認証手段と、該被提供者端末による該暗号化電子ファイルに対するアクセスが該アクセス制限内であるか否かの判定を行なう判定手段と、該被提供者認証手段により該被提供者が正当な利用者であることが認証され且つ該判定手段により該アクセスが該アクセス制限内であると判定された場合に、該暗号化電子ファイルを復号化する復号鍵を該被提供者端末に送信する復号鍵送信手段とをそなえて構成され、該被提供者端末が、該暗号化電子ファイルの開封時に該ファイルアクセス管理サーバに対して該被提供者の認証情報を送信して認証要求を行なう認証要求手段と、該ファイルアクセス管理サーバから該復号鍵を受信すると、該復号鍵を用いて該暗号化電子ファイルを復号化することにより該電子ファイルを復元する復号化手段とをそなえて構成され、該登録者端末が、該電子ファイルに含まれる提供情報を該提供者端末に登録する登録手段と、該ファイルアクセス管理サーバに設定されている、該提供情報を含む電子ファイルに対するアクセス制限の変更要求を、該登録者の認証情報とともに、該アプリケーションサーバに対して発行するアクセス制限変更要求手段とをそなえて構成され、該アプリケーションサーバが、該登録者端末から該登録者の認証情報を受信すると、該認証情報に基づいて該登録者が該電子ファイルに含まれる提供情報の正当な登録者であるか否かの認証判定を行なう登録者認証手段と、該登録者認証手段により該登録者が正当な登録者であることが認証された場合に、該登録者端末からの該変更要求に応じて、該ファイルアクセス管理サーバに設定されている該電子ファイルに対する該アクセス制限の変更を行なうアクセス制限変更手段とをそなえて構成されていることを特徴としている。
【０００９】
このような電子ファイル管理システムにおいて、該登録者端末が、該登録手段により該提供情報を該提供者端末に登録する際に、該提供情報を含む電子ファイルに対するアクセス制限を該登録者自身により指定して該提供者端末に通知するアクセス制限通知手段をさらにそなえて構成され、該提供者端末の該アクセス制限設定手段が、該登録者端末から通知されたアクセス制限を、該被提供者の該電子ファイルに対するアクセス制限として該ファイルアクセス管理サーバに設定するように構成してもよい。
【００１０】
また、該提供者端末が、該暗号化電子ファイルを提供する被提供者に関する提供先情報を該登録者端末に通知する提供先通知手段をさらにそなえて構成され、該登録者端末が、該提供先情報を受信すると、該提供先情報を参照した該登録者の該提供先情報に対する回答を該提供者端末に返信する応答手段をさらにそなえて構成され、該提供者端末が、該登録者端末からの該回答に従って暗号化電子ファイルの配布もしくは各被提供者端末に対する対応を行なってもよい。
【００１１】
さらに、該被提供者端末が、該電子ファイルの内容に対するクエリを、該被提供者の認証情報とともに、該アプリケーションサーバに対して発行するクエリ発行手段をさらにそなえて構成され、該アプリケーションサーバが、該被提供者端末から該被提供者の認証情報を受信すると、該認証情報に基づいて該被提供者が該電子ファイルの正当な利用者であるか否かの認証判定を行なう被提供者認証手段をさらにそなえて構成され、該アプリケーションサーバにおいて、該被提供者認証手段により該被提供者が該電子ファイルの正当な利用者であることが認証された場合に、該アクセス制限変更手段が、該被提供者端末からの該クエリに応じて、該ファイルアクセス管理サーバに設定されている該電子ファイルに対する該アクセス制限の変更を行なうように構成されていてもよい。
【００１２】
そして、本発明の電子ファイル管理プログラムは、電子ファイルを提供する提供者側の端末（以下、提供者端末という）としてコンピュータを機能させる第１プログラムと、該電子ファイルに対するアクセスを管理するファイルアクセス管理サーバとしてコンピュータを機能させる第２プログラムと、該提供者から提供された該電子ファイルに対するアクセスを行なう被提供者側の端末（以下、被提供者端末という）としてコンピュータを機能させる第３プログラムと、該電子ファイルに含まれる提供情報を該提供者端末に登録する登録者側の端末（以下、登録者端末という）としてコンピュータを機能させる第４プログラムと、該登録者端末からの要求に応じて、該ファイルアクセス管理サーバにおける、該提供情報を含む電子ファイルについての設定を変更しうるアプリケーションサーバとしてコンピュータを機能させる第５プログラムとのうちの少なくとも一つのプログラムを含み、該第１プログラムが、該被提供者の該電子ファイルに対するアクセス制限を該ファイルアクセス管理サーバに設定するアクセス制限設定手段、および、所定の暗号鍵を用いて該電子ファイルを暗号化することにより、該被提供者に提供される暗号化電子ファイルを作成する暗号化手段としてコンピュータを機能させ、該第２プログラムが、該暗号化電子ファイルに対するアクセスを行なう該被提供者端末から該被提供者の認証情報を受信すると、該認証情報に基づいて該被提供者が該暗号化電子ファイルの正当な利用者であるか否かの認証判定を行なう被提供者認証手段、該被提供者端末による該暗号化電子ファイルに対するアクセスが該アクセス制限内であるか否かの判定を行なう判定手段、および、該被提供者認証手段により該被提供者が正当な利用者であることが認証され且つ該判定手段により該アクセスが該アクセス制限内であると判定された場合に、該暗号化電子ファイルを復号化する復号鍵を該被提供者端末に送信する復号鍵送信手段としてコンピュータを機能させ、該第３プログラムが、該暗号化電子ファイルの開封時に該ファイルアクセス管理サーバに対して該被提供者の認証情報を送信して認証要求を行なう認証要求手段、および、該ファイルアクセス管理サーバから該復号鍵を受信すると、該復号鍵を用いて該暗号化電子ファイルを復号化することにより該電子ファイルを復元する復号化手段としてコンピュータを機能させ、該第４プログラムが、該電子ファイルに含まれる提供情報を該提供者端末に登録する登録手段、および、該ファイルアクセス管理サーバに設定されている、該提供情報を含む電子ファイルに対するアクセス制限の変更要求を、該登録者の認証情報とともに、該アプリケーションサーバに対して発行するアクセス制限変更要求手段としてコンピュータを機能させ、該第５プログラムが、該登録者端末から該登録者の認証情報を受信すると、該認証情報に基づいて該登録者が該電子ファイルに含まれる提供情報の正当な登録者であるか否かの認証判定を行なう登録者認証手段、および、該登録者認証手段により該登録者が正当な登録者であることが認証された場合に、該登録者端末からの該変更要求に応じて、該ファイルアクセス管理サーバに設定されている該電子ファイルに対する該アクセス制限の変更を行なうアクセス制限変更手段としてコンピュータを機能させることを特徴としている。
【００１３】
このとき、該第４プログラムが、コンピュータを該登録者端末として機能させ該登録手段により該提供情報を該提供者端末に登録する際に、該提供情報を含む電子ファイルに対するアクセス制限を該登録者自身により指定して該提供者端末に通知するアクセス制限通知手段として当該コンピュータをさらに機能させ、該第２プログラムが、コンピュータを該アクセス制限設定手段として機能させる際に、該登録者端末から通知されたアクセス制限を、該被提供者の該電子ファイルに対するアクセス制限として該ファイルアクセス管理サーバに設定するように当該コンピュータを機能させてもよい。
【００１４】
また、該第１プログラムが、コンピュータを該提供者端末として機能させる際に、該暗号化電子ファイルを提供する被提供者に関する提供先情報を該登録者端末に通知する提供先通知手段を当該コンピュータをさらに機能させ、該第４プログラムが、コンピュータを該登録者端末として機能させる際に、該提供先情報を受信すると、該提供先情報を参照した該登録者の該提供先情報に対する回答を該提供者端末に返信する応答手段として当該コンピュータをさらに機能させ、該第１プログラムが、該登録者端末からの該回答に従って暗号化電子ファイルの配布もしくは各被提供者端末に対する対応を行なうように、該提供者端末としてのコンピュータを機能させてもよい。
【００１５】
さらに、該第４プログラムが、コンピュータを該応答手段として機能させる際に、該回答として、(1)該提供先情報を参照した該登録者によって行なわれた該被提供者の取捨選択の結果や、(2)該提供先情報に含まれる各被提供者に対し、該提供先情報を参照した該登録者によって指定された優先順位や、(3)該提供先情報を参照した該登録者によって該被提供者毎に指定された、各被提供者に提供されるべき提供情報の内容を、該提供者端末に返信するように当該コンピュータを機能させてもよい。特に、上記項目(3)の回答を返信する場合、該第１プログラムが、コンピュータを該暗号化手段として機能させる際に、該被提供者毎に異なる暗号鍵を用いて、被提供者毎に指定された内容を該提供情報として含む電子ファイルを暗号化することにより、該被提供者に提供される暗号化電子ファイルを作成するように当該コンピュータを機能させてもよい。
【００１６】
またさらに、該第３プログラムが、コンピュータを該被提供者端末として機能させる際に、該電子ファイルの内容に対するクエリを、該被提供者の認証情報とともに、該アプリケーションサーバに対して発行するクエリ発行手段として当該コンピュータをさらに機能させ、該第５プログラムが、コンピュータを該アプリケーションサーバとして機能させる際に、該被提供者端末から該被提供者の認証情報を受信すると、該認証情報に基づいて該被提供者が該電子ファイルの正当な利用者であるか否かの認証判定を行なう被提供者認証手段として当該コンピュータをさらに機能させるとともに、該被提供者認証手段により該被提供者が該電子ファイルの正当な利用者であることが認証された場合に、該アクセス制限変更手段が、該被提供者端末からの該クエリに応じて、該ファイルアクセス管理サーバに設定されている該電子ファイルに対する該アクセス制限の変更を行なうように当該コンピュータを機能させてもよい。
【００１７】
特に、該第５プログラムが、コンピュータを該アプリケーションサーバとして機能させる際、該アクセス制限変更手段が、該クエリに応じて、該ファイルアクセス管理サーバに設定されている該電子ファイルに対する該アクセス制限の変更を行なうことにより、当該クエリを発行した被提供者端末以外の被提供者端末の、当該電子ファイルに対するアクセスを禁止するように当該コンピュータを機能させ、さらに、該アクセス制限変更手段が、当該電子ファイルに対するアクセスの禁止期限を設定し、当該クエリを発行した被提供者端末が該禁止期限内に該アプリケーションサーバに対して所定クエリを発行しなかった場合には、当該電子ファイルに対するアクセスの禁止を解除するように当該コンピュータを機能させてもよい。
【００１８】
なお、該アクセス制限としては、該電子ファイルに対するアクセス可能期間や該電子ファイルに対するアクセス権を設定してもよい。また、該提供情報は、該登録者の個人情報であってもよく、その個人情報としては、該登録者の経歴情報や該登録者に係る画像情報や該登録者に係る音声情報が含まれていてもよい。さらに、前記画像情報は動画像であってもよい。
【発明の効果】
【００１９】
上述した本発明によれば、被提供者による電子ファイルに対するアクセスが、ファイルアクセス管理サーバによって管理され、予め設定されたアクセス制限内（アクセス可能期間内やアクセス権）に制限されるので、提供情報（例えば個人情報）を含む電子ファイルを企業等の被提供者に配布・提供した場合に、その配布・提供先での電子ファイルに対するアクセスを制限することができる。
【００２０】
従って、配布・提供先でアクセス可能期間だけ電子ファイルの内容（提供情報）を閲覧・参照できるようにしたり、配布・提供先で提供情報の閲覧・参照を許可しながら提供情報のコピーや印刷を禁止したりすることが可能になり、提供情報が個人情報である場合には、配布・提供先での個人情報保護に対する意識や対応に依存することなく、個人情報の不用意な流出・漏洩や個人情報の不正利用などが確実に防止され、個人情報を確実に保護することができる。
【００２１】
また、提供情報（例えば自分の個人情報）を提供者端末に登録した登録者本人は、アプリケーションサーバにアクセスしその提供情報を含む電子ファイルに対するアクセス制限（アクセス可能期間やアクセス権）を変更することができるほか、提供情報を提供者端末に登録する際にその提供情報を含む電子ファイルに対するアクセス制限を自分で指定することができるので、登録者は、自分の提供情報の管理を提供者に任せきりにすることなく、自分の提供情報を含む電子ファイルを自分で管理し、自分の提供情報に対する閲覧等のアクセス期限を設定・変更したり、必要に応じて自分の提供情報の開示を停止したりすることができ、自分で自分の提供情報（例えば個人情報）を保護することが可能になる。
【００２２】
さらに、電子ファイルの提供先情報が提供者端末から登録者に通知され、登録者は、その通知内容に対する回答を返信することができるので、登録者は、自分の提供情報がどこに提供される（提供された）かを認識できるだけでなく、自分の提供情報を含む電子ファイルが提供者によって配布される際に自分の要望・意志を反映させることが可能になる。
特に、登録者端末から提供先（被提供者）の取捨選択の結果を上記回答として返信することにより、登録者は、自分の提供情報を含む電子ファイルを、自分の要望に応じた提供先（被提供者）に対してのみ提供することが可能になる。
【００２３】
また、登録者端末から被提供者の優先順位を上記回答として返信することにより、登録者は、提供先情報に含まれる各被提供者に対し、優先順位を指定して付与することができ、提供者端末は、その優先順位に従って、暗号化電子ファイルの配布や、各被提供者端末に対する対応を行なうことが可能になる。この場合、例えば、優先順位の順序に従って時期をずらしながら暗号化電子ファイルを配布することにより、登録者の希望に応じた提供情報の配布を行なうことが可能になる。また、暗号化電子ファイルを提供者端末に対して一斉に配布した後、上記優先順位に従って、各被提供者端末に対する対応を行なってもよく、この場合、例えば、登録者の提供情報を含む暗号化電子ファイルに対し、優先順位の低い被提供者端末からクエリ（リザーブ要求／決定要求）が発行されると、そのクエリを発行した被提供者端末よりも優先順位の高い被提供者端末に対し、当該暗号化電子ファイルに対しクエリが発行されている旨を通知し、当該暗号化電子ファイルに含まれる提供情報についての検討を促すことにより、より優先順位の高い被提供者が、その登録者についての暗号化電子ファイルに含まれる提供情報について検討する機会を、明示的に与えられ、人材派遣の採用を望む登録者にとって、自分で設定した優先順位の中でより上位の派遣先企業によって採用される可能性を高めることができる。
【００２４】
さらに、登録者端末から各被提供者に提供されるべき提供情報の内容を上記回答として返信することにより、登録者は、提供者端末毎に異なる内容の情報を提供することが可能になる。この場合、登録者端末からの指示に従って、被提供者毎に、異なる内容の情報を含む電子ファイルが作成され、各電子ファイルが、被提供者毎に異なる暗号鍵を用いて暗号化される。これにより、万一、誤って、その内容を提供すべき被提供者端末とは違う端末に、暗号化電子ファイルを配布してしまっても、その端末では暗号化電子ファイルを開封することができず、その内容を参照できないので、登録者の提供情報（個人情報）を確実に保護することができる。また、登録者は、各被提供者に応じた内容の情報を被提供者毎に指定して提供することができ、被提供者に応じた情報提供や自己アピールを行なうことが可能である。
【００２５】
このとき、被提供者は、アプリケーションサーバに対してクエリを発行することで、被提供者がアクセスした電子ファイルに対するアクセス制限（アクセス可能期間やアクセス権）を変更することができる。例えば被提供者が人材募集を行なっている企業等であり提供者がその企業に人材派遣を行なう人材派遣会社であり派遣社員の情報（個人情報／提供情報）が電子ファイルによって派遣先企業に提供される場合、被提供者が電子ファイルで閲覧した人材について面接／採用を予約するリザーブ要求や、被提供者が電子ファイルで閲覧した人材について面接／採用を決定する決定要求をクエリとして発行すると、それ以後、他の被提供者がその電子ファイルにアクセスすることを禁止することができる。また、リザーブ要求の受付時にはリザーブ有効期限（アクセスの禁止期限）を設定することにより、リザーブ要求を発行した被提供者端末がリザーブ有効期限内に所定クエリ（ここでは例えば決定要求）を発行しなかった場合には、アクセス禁止状態を解除することもできる。このように、本願の発明を用いることにより、人材を紹介するシステムとしての利便性が大幅に高まるという効果も得られる。
【００２６】
また、上述のごとく人材派遣を行なう人材派遣会社に登録者が自分のプロフィール等の情報を登録するような場合、電子ファイルに、提供情報である個人情報として登録者の経歴情報を格納しさらにその登録者に係る動画像や音声情報を格納することで、個人情報を確実に保護しながら、応募者は、企業等へ直接出向くことなく、自己アピールすることができる。
【発明を実施するための最良の形態】
【００２７】
以下、図面を参照して本発明の実施の形態を説明する。
〔１〕本実施形態の電子ファイル管理システムの構成
図１は本発明の一実施形態としての電子ファイル管理システムの構成を示すブロック図で、この図１に示すように、本実施形態の電子ファイル管理システム１は、例えば、企業等に人材を派遣する人材派遣会社（提供者）が派遣先企業（被提供者）に対し人材を紹介する際にその人材についてのプロフィール（個人情報）を電子ファイルに格納して派遣先企業に配布・提供するもので、提供者端末１０，ファイルアクセス管理サーバ２０，被提供者端末３０，登録者端末４０，アプリケーションサーバ５０およびネットワーク６０をそなえて構成されている。
【００２８】
登録者端末４０は、電子ファイルに含まれる自分の個人情報（プロフィール）を提供情報として人材派遣会社（提供者端末１０）に登録することにより人材派遣会社に対し派遣社員登録を行なう登録者側におけるパーソナルコンピュータ等の情報端末で、インターネット等のネットワーク６０を介して少なくとも提供者端末１０およびアプリケーションサーバ５０と通信可能に接続されている。この登録者端末４０は、一般的な情報端末としての機能（通信機能等）の他に、後述する登録手段４１，アクセス制限変更要求手段４２，アクセス制限通知手段４３および応答手段４４としての機能を果たすように構成されている。なお、登録者端末４０から提供者端末１０に登録されるプロフィール（個人情報）には、例えば、氏名，住所，居所，本籍，国籍，電話番号，メールアドレスなどの連絡先情報や、学歴，職歴，資格などの経歴情報や、写真，動画像，音声などの画像／音声情報や、自己アピール文などが含まれている。
【００２９】
提供者端末１０は、派遣人材（派遣社員候補）の紹介用プロフィールを格納した電子ファイルを派遣先企業に提供する提供者側（本実施形態では人材派遣会社側）におけるパーソナルコンピュータ等の情報端末で、インターネット等のネットワーク６０を介して少なくともファイルアクセス管理サーバ２０と通信可能に接続されている。この提供者端末１０は、一般的な情報端末としての機能（通信機能等）の他に、後述する認証要求手段１１，アクセス制限設定手段１２，電子ファイル作成手段１３，提供先通知手段１４およびプロフィール／電子ファイル保存手段１５としての機能を果たすように構成されている。
【００３０】
ファイルアクセス管理サーバ２０は、本実施形態では、上述のごとく人材派遣会社から派遣先企業に提供される人材紹介用プロフィールを格納した電子ファイルに対するアクセス（派遣先企業でのアクセス）を管理するもので、一般的なサーバとしての機能（通信機能等）の他に、後述するアクセス制限保存手段２１，復号鍵保存手段２２，提供者／被提供者認証手段２３，判定手段２４および復号鍵送信手段２５としての機能を果たすように構成されている。
【００３１】
被提供者端末３０は、派遣会社から提供された電子ファイルに対してアクセスを行なう被提供者側（本実施形態では上記派遣先会社側）のパーソナルコンピュータ等の情報端末で、インターネット等のネットワーク６０を介してファイルアクセス管理サーバ２０と通信可能に接続されている。この被提供者端末３０は、一般的な情報端末としての機能（通信機能等）の他に、後述する認証要求手段３１，復号化手段３２，アクセス手段３３およびクエリ発行手段３４としての機能を果たすように構成されている。
【００３２】
アプリケーションサーバ５０は、インターネット等のネットワーク６０を介して少なくとも被提供者端末３０およびファイルアクセス管理サーバ２０と通信可能に接続され、一般的なサーバとしての機能（通信機能等）の他に、後述する登録者／被提供者認証手段５１，閲覧権限照合手段５２，アクセス制限変更手段５３，応答手段５４および保存手段５５としての機能を果たすように構成されている。
【００３３】
さて、提供者端末１０において、登録者端末４０から提供者端末１０に登録されたプロフィールは、プロフィール／電子ファイル保存手段１５に予め保存される。そして、認証要求手段１１は、電子ファイル作成／アクセス制限変更時に自動的に起動され、提供者に対して予め発行されている認証情報（提供者によって入力されたユーザＩＤおよびパスワード）をファイルアクセス管理サーバ２０に送信して提供者の認証要求を行なうものである。
【００３４】
アクセス制限設定手段１２は、ファイルアクセス管理サーバ２０において提供者の正当性が認証された場合に、被提供者の電子ファイルに対するアクセス可能期間およびアクセス権を、ファイルアクセス管理サーバ２０にアクセス制限として設定・登録するものである。本実施形態では、提供者が提供者端末１０のキーボードやマウスを操作することによって電子ファイル毎に入力したアクセス可能期間およびアクセス権を、アクセス制限設定手段１２によってファイルアクセス管理サーバ２０に電子ファイル毎に設定・登録してもよいし、後述するごとく登録者端末４０から指定・通知されたアクセス制限（アクセス可能期間およびアクセス権）を、アクセス制限設定手段１２によってファイルアクセス管理サーバ２０に電子ファイル毎に設定・登録してもよい。
【００３５】
ここで、アクセス可能期間としては、アクセス許可開始日時からアクセス許可終了日時までの期間を指定してもよいし、アクセス終了日時（つまりアクセス期限）のみを指定してもよいし、無期限設定を行なうこともできる。また、アクセス権（アクセス権限）としては、被提供者により電子ファイルに対して実行可能なアクセスの種別が設定される。その種別としては、例えば閲覧，コピー，印刷などの中から少なくとも一つが選択され設定される。
【００３６】
電子ファイル作成手段（暗号化手段）１３は、プロフィール／電子ファイル保存手段１５に保存されているプロフィールの中から指定・選択されたプロフィールを保持する電子ファイル（例えばＰＤＦファイル）を作成し、その電子ファイルを、所定の暗号鍵を用いて暗号化し、派遣先企業に提供するための暗号化電子ファイルを作成するものである。上記暗号鍵は、例えば、当該電子ファイルのアクセス制限の設定・登録時に、ファイルアクセス管理サーバ２０において提供者の正当性が認証されると、ファイルアクセス管理サーバ２０から受信される。この電子ファイル作成手段１３によって作成された暗号化電子ファイルは、プロフィール／電子ファイル保存手段１５に保存される。
提供者端末１０で作成された暗号化電子ファイルは、派遣先企業に対して、電子メールに添付され電子的に送付・提供されるか、もしくは、フレキシブルディスク，ＣＤ−Ｒなどの記録媒体に格納され物理的に送付・提供される。
【００３７】
提供先通知手段１４は、暗号化電子ファイルを提供する被提供者に関する提供先情報、即ち暗号化電子ファイルに含まれるプロフィールがどこの派遣先企業に提供されるか（もしくは提供されたか）に関する情報を、そのプロフィールを登録した登録者の端末４０に対し、例えば電子メール等によって通知するものである。そして、この通知に対応して、後述するごとくプロフィールを提供する派遣先企業についての要望（取捨選択結果などの回答）が登録者端末４０から提供者端末１０に返信されてきた場合には、提供者（提供者端末１０）は、その回答に従って、暗号化電子ファイル（プロフィール）を派遣先企業（被提供者）に配布したり、各被提供者端末３０に対する対応を行なったりする。
【００３８】
なお、認証要求手段１１，設定手段１２，電子ファイル作成手段１３および提供先通知手段１４としての機能は端末１０におけるＣＰＵ等の演算処理部で所定のプログラム（第１プログラム）を実行することにより実現され、プロフィール／電子ファイル保存手段１５としての機能は端末１０におけるＲＡＭ，ハードディスク等の記憶機能によって実現される。
【００３９】
ファイルアクセス管理サーバ２０において、アクセス制限保存手段２１は、提供者端末１０によって設定・登録されたアクセス制限（アクセス可能期間やアクセス権）を、提供用暗号化電子ファイルを特定するドキュメントＩＤ，提供者のユーザＩＤ，被提供者（提供先の派遣先企業）のユーザＩＤ，その暗号化電子ファイルに含まれるプロフィールを登録した登録者のユーザＩＤに対応付けて保存するデータベースである。また、復号鍵保存手段２２は、提供者端末１０において作成された暗号化電子ファイルを復号化する際に必要となる復号鍵を保存するデータベースである。
【００４０】
なお、復号鍵は、上述した暗号鍵に対応するものである。また、ファイルアクセス管理サーバ２０のデータベースにおいては、提供者，被提供者および登録者についてのユーザデータ（提供者／被提供者／登録者の認証時に照合のために用いられるユーザＩＤやパスワードなど）が保存されるほか、図３〜図５を参照しながら後述するごとく、後述する提供者／被提供者認証手段２３による認証結果のログも保存される。
【００４１】
提供者／被提供者認証手段２３は、提供者端末１０から認証要求とともに提供者のユーザＩＤおよびパスワードを受信すると、そのユーザＩＤに対応付けられたパスワードをサーバ２０におけるデータベースから読み出し、受信したパスワードと読み出されたパスワードとの照合を行なうことにより、提供者端末１０（提供者）が正当な利用者であるか否かの認証判定を行なうものである。
【００４２】
また、提供者／被提供者認証手段２３は、後述する被提供者端末３０から認証要求とともに被提供者のユーザＩＤおよびパスワードを受信すると、そのユーザＩＤに対応付けられたパスワードをサーバ２０におけるデータベースから読み出し、受信したパスワードと読み出されたパスワードとの照合を行なうことにより、被提供者端末３０（被提供者）が正当な利用者であるか否かの認証判定を行なうものである。
【００４３】
判定手段２４は、被提供者が開封してアクセスしようとしている暗号化電子ファイルのドキュメントＩＤを、ユーザＩＤとともに、後述する被提供者端末３０から受信すると、そのドキュメントＩＤおよびユーザＩＤに対応付けられたアクセス制限（アクセス可能期間およびアクセス権）をアクセス制限保存手段２１から読み出し、その暗号化電子ファイルに対するアクセスが、読み出されたアクセス制限内であるか否かの判定を行なうものである。
【００４４】
つまり、判定手段２４では、その暗号化電子ファイルについてのアクセス可能期間と被提供者端末３０のアクセス日時とを比較することにより、そのアクセス日時がアクセス可能期間内であるか否かの判定が行なわれるとともに、その暗号化電子ファイルに対するアクセスの種別が、読み出されたアクセス権に対応するもの（許可された種別）か否かの判定が行なわれる。
【００４５】
復号鍵送信手段２５は、認証手段２３により被提供者が正当な利用者であることが認証され且つ判定手段２４により暗号化電子ファイルに対するアクセスがアクセス制限内であると判定された場合に、その暗号化電子ファイルを復号化する復号鍵を、復号鍵保存手段２２から読み出して被提供者端末３０へ送信するものである。
なお、認証手段２３，判定手段２４および復号鍵送信手段２５としての機能はサーバ２０におけるＣＰＵ等の演算処理部で所定のプログラム（第２プログラム）を実行することにより実現され、アクセス制限保存手段２１および復号鍵保存手段２２としての機能はサーバ２０におけるＲＡＭ，ハードディスク等の記憶機能によって実現される。
【００４６】
被提供者端末３０において、認証要求手段３１は、暗号化電子ファイルを開封する際に自動的に起動され、被提供者に対して予め発行されている認証情報（被提供者によって入力されたユーザＩＤおよびパスワード）とともに、開封すべき暗号化電子ファイルを特定するドキュメントＩＤをファイルアクセス管理サーバ２０に送信して被提供者の認証要求を行なうものである。
【００４７】
また、認証要求手段３１は、暗号化電子ファイルの開封後（復号化後）に、後述するクエリ発行手段３４によりクエリをアプリケーションサーバ５０に発行する際にも自動的に起動され、被提供者に対して予め発行されている認証情報（被提供者によって入力されたユーザＩＤおよびパスワード）とともに、その電子ファイルを特定するドキュメントＩＤをアプリケーションサーバ５０に送信して被提供者の認証要求を行なうものである。
【００４８】
復号化手段３２は、ファイルアクセス管理サーバ２０から受信した復号鍵を用いて暗号化電子ファイルを復号化することにより電子ファイルを復元するものであり、アクセス手段３３は、復号化手段３２によって復元された電子ファイルに対し、アクセス権を与えられた種別のアクセス（閲覧，コピー，印刷等）を実行するものである。
【００４９】
クエリ発行手段３４は、具体的には図５を参照しながら後述するごとく、開封・復元された電子ファイルの内容についての各種要求をアプリケーションサーバ５０に対して行なうもので、例えば、電子ファイルで紹介された人材の面接／採用を予約するリザーブ要求や、その人材の面接／採用を決定する決定要求などを行なうべく被提供者端末３０上で作成された所定フォームのクエリを、アプリケーションサーバ５０に送信・発行するようになっている。
【００５０】
なお、認証要求手段３１，復号化手段３２，アクセス手段３３およびクエリ発行手段３４としての機能は端末３０におけるＣＰＵ等の演算処理部で所定のプログラム（第３プログラム）を実行することにより実現される。このとき、被提供者端末３０で実行される上記所定のプログラム（第３プログラム）は、提供者から配布された電子ファイルに添付して提供するようにしてもよいし、別途ダウンロードしてもよい。
【００５１】
登録者端末４０において、登録手段４１は、電子ファイルに含まれる提供情報、本実施形態では、上述したような登録者のプロフィール（個人情報）を、ネットワーク６０を介して提供者端末１０に登録するものである。提供情報であるプロフィールは、登録者端末４０において、登録者がキーボード等を操作することによって入力されたり、各種周辺機器（スキャナ，デジタルカメラなど）から入力されたりする。
【００５２】
アクセス制限変更要求手段４２は、ファイルアクセス管理サーバ２０に設定されている、登録者本人のプロフィールを含む電子ファイルに対するアクセス制限の変更要求を、登録者に対して予め発行されている認証情報（登録者によって入力されたユーザＩＤおよびパスワード）とともに、アプリケーションサーバ５０に発行するものである。本実施形態では、例えば、他の人材派遣会社により派遣先が決まった場合などに、登録者が、提供者端末１０を介することなく、登録者端末４０からアプリケーションサーバ５０を介して自分でアクセス制限（アクセス可能日時やアクセス権）を変更して自分のプロフィールに対する閲覧等のアクセスを禁止することができるようになっている。
【００５３】
また、本実施形態では、登録者は、自分のプロフィールを含む暗号化電子ファイルが提供者によって複数の被提供者端末３０に提供された後に、上述と同様にアクセス制限変更要求手段４２によってアプリケーションサーバ５０に対して変更要求を発行することにより、現在、当該電子ファイルにアクセス可能な複数の被提供者端末３０のうちの一部もしくは全部を指定してアクセスを禁止するように、アクセス制限を変更することができるようになっている。
【００５４】
アクセス制限通知手段４３は、登録手段４１によりプロフィールを提供者端末１０に登録する際に、そのプロフィールを含む電子ファイルに対するアクセス制限（アクセス可能期間やアクセス権）を登録者自身により指定して提供者端末１０に通知するものである。登録者自身により指定されるアクセス制限は、例えば登録者がキーボード等を操作することにより入力される。
【００５５】
応答手段４４は、提供者端末１０から前記提供先情報を受信すると、その提供先情報を参照した登録者によって行なわれた被提供者（自分のプロフィールを提供される派遣先企業）の取捨選択結果を提供者端末１０に応答するものである。
ここで、提供先情報は、例えば電子メール等によって通知されて登録者端末４０のディスプレイ上に表示される。その際、例えば、プロフィールを提供される派遣先企業名がチェックボックス付きで表示され、その表示を参照した登録者は、キーボード，マウス等を操作してチェックボックスをオン／オフすることによりプロフィールの提供を望むか否かを派遣先企業毎に設定した上で、そのチェックボックスのチェック結果（上記取捨選択結果）を、提供先情報を通知されたことに対する回答として、電子メール等により提供者端末１０に返信することで、上記応答手段４４による応答が行なわれるようになっている。
【００５６】
なお、登録手段４１，アクセス制限変更要求手段４２，アクセス制限通知手段４３および応答手段４４としての機能は端末４０におけるＣＰＵ等の演算処理部で所定のプログラム（第４プログラム）を実行することにより実現される。
【００５７】
アプリケーションサーバ５０において、登録者／被提供者認証手段５１は、被提供者端末３０から電子ファイルの内容に対するクエリ（リザーブ要求，決定要求など）とともに認証要求（ユーザＩＤ，パスワード，ドキュメントＩＤ）を受信すると、そのユーザＩＤに対応付けられたパスワードをサーバ２０におけるデータベースから読み出し、受信したパスワードと読み出されたパスワードとの照合を行なうことにより、被提供者端末３０（被提供者）が正当な利用者であるか否かの認証判定を行なうものである。
【００５８】
また、登録者／被提供者認証手段５１は、登録者端末４０から電子ファイルに対するアクセス制限の変更要求とともに認証情報（ユーザＩＤ，パスワード，ドキュメントＩＤ）を受信すると、そのユーザＩＤに対応付けられたパスワードをサーバ２０におけるデータベースから読み出し、受信したパスワードと読み出されたパスワードとの照合を行なうことにより、登録者端末４０（登録者）が正当な登録者であるか否かの認証判定を行なうものである。
【００５９】
閲覧権限照合手段５２は、登録者／被提供者認証手段５１により被提供者端末３０（被提供者）が正当な利用者であることが認証された場合に、被提供者のユーザＩＤと被提供者端末３０で復元された電子ファイルのドキュメントＩＤとに対応付けられたアクセス権をサーバ２０におけるアクセス制限保存手段２１から読み出し、クエリを発行した被提供者端末３０（被提供者）がその電子ファイルに対する閲覧権限を有しているか否かを照合・確認するものである。
【００６０】
アクセス制限変更手段５３は、閲覧権限照合手段５２により被提供者端末３０が閲覧権限を有していることが確認されると、被提供者端末３０からのクエリの内容に応じて、ファイルアクセス管理サーバ２０において設定されている被提供者の電子ファイルに対するアクセス可能期間またはアクセス権の変更を行なうもので、具体的には図５を参照しながら後述する。
【００６１】
また、アクセス制限変更手段５３は、登録者／被提供者認証手段５１により登録者端末４０（登録者）が正当な登録者であることが認証された場合に、登録者端末４０からの変更要求に応じて、ファイルアクセス管理サーバ２０において設定されている、登録者のプロフィールを含む電子ファイルに対するアクセス制限（アクセス可能期間やアクセス権）の変更を行なうものである。
【００６２】
応答手段５４は、図５および図１５〜図１８を参照しながら後述するごとく、登録者／被提供者認証手段５１による認証結果や、閲覧権限照合手段５２による照合結果や、アクセス制限変更手段５３による変更結果に応じて、被提供者端末３０や登録者端末４０に対する応答を行なうもので、例えば図１５〜図１８に示すような応答ページを作成して被提供者端末３０や登録者端末４０へ返信するように構成されている。
【００６３】
保存手段（データベース）５５は、図５を参照しながら後述するごとく、登録者／被提供者認証手段５１による認証結果のログや、閲覧権限照合手段５２による照合結果のログや、サーバ２０に設定されているオリジナル有効期限（アクセス可能期間）や、アクセス制限変更手段５３により変更されたアクセス可能期間（リザーブ有効期限）を保存するものである。
【００６４】
なお、登録者／被提供者認証手段５１，閲覧権限照合手段５２，アクセス制限変更手段５３および応答手段５４としての機能はサーバ５０におけるＣＰＵ等の演算処理部で所定のプログラム（第５プログラム）を実行することにより実現され、保存手段５５としての機能はサーバ５０におけるＲＡＭ，ハードディスク等の記憶機能によって実現される。
【００６５】
〔２〕本実施形態の電子ファイル管理システムの動作
次に、図２を参照しながら、上述のごとく構成された本実施形態の電子ファイル管理システム１の動作（本システム１を用いて行なわれる、電子ファイルによる人材紹介の一連の手順）について概略的に説明する。ここで、図２はその動作を説明するためのシーケンス図である。
【００６６】
この図２に示すように、登録者は、自分の個人情報（プロフィール）を提供情報として人材派遣会社（提供者端末１０）に登録することにより人材派遣会社に対し派遣社員登録を行なう際、登録者端末４０の登録手段４１により、ネットワーク６０を介して自分のプロフィールを提供者端末１０に送信して登録する（図２の矢印Ａ１参照）。また、登録者は、同時に、登録者端末４０のアクセス制限通知手段４３により、そのプロフィールを含む電子ファイルに対するアクセス制限（アクセス可能日時やアクセス権）を指定して提供者端末１０に通知する（図２の矢印Ａ１参照）。このように通知・登録されたプロフィールやアクセス制限は、提供者端末１０のプロフィール／電子ファイル保存手段１５に保存される。
【００６７】
そして、提供者が、紹介すべき人材のプロフィール（個人情報）を含む電子ファイルを作成する際には、まず、提供者端末１０の認証要求手段１１から、提供者の認証情報（ユーザＩＤおよびパスワード）をファイルアクセス管理サーバ２０に送信して提供者の認証要求を行なう（図２の矢印Ａ２参照）。ファイルアクセス管理サーバ２０の提供者／被提供者認証手段２３では、提供者端末１０から認証要求とともにユーザＩＤおよびパスワードを受信すると、そのユーザＩＤに対応付けられたパスワードがサーバ２０におけるデータベースから読み出され、受信したパスワードと読み出されたパスワードとの照合を行なって提供者端末１０（提供者）が正当な利用者であるか否かの認証判定を行ない、その認証結果（成功／失敗）を提供者端末１０に通知する（図２の矢印Ａ３参照）。
【００６８】
提供者端末１０では、認証失敗通知を受けた場合には処理を終了する一方、認証成功通知を受けると、被提供者（派遣先会社）による電子ファイルに対するアクセス制限（アクセス可能期間およびアクセス権）が、アクセス制限設定手段１２によりファイルアクセス管理サーバ２０のアクセス制限保存手段２１に設定される（図２の矢印Ａ４参照）。ここでは、登録者端末４０から通知されたアクセス制限情報が、そのままアクセス制限保存手段２１に設定される。
【００６９】
この後、提供者端末１０では、ファイルアクセス管理サーバ２０から、アクセス制限の設定・保存の完了通知とともに、当該電子ファイルを暗号化するための暗号鍵を受けると（図２の矢印Ａ５参照）、電子ファイル作成手段１３により、プロフィール／電子ファイル保存手段１５の中の指定プロフィールを保持する電子ファイル（ＰＤＦファイル）が作成され、その電子ファイルが、ファイルアクセス管理サーバ２０から受信した上記暗号鍵を用いて暗号化され、派遣先企業に提供するための暗号化電子ファイルが作成され、プロフィール／電子ファイル保存手段１５に保存される。
【００７０】
なお、図２の矢印Ａ２〜Ａ５に対応する、提供者端末１０による電子ファイル作成手順／アクセス制限設定手順の詳細については、図３および図６〜図１３を参照しながら後述する。また、提供者端末１０によって、上述のごとく設定されたアクセス制限を変更したり上述のごとく作成された電子ファイルを閲覧したりすることも可能であり、その閲覧手順や変更手順の詳細については、図４および図１４を参照しながら後述する。
【００７１】
そして、提供者端末１０は、上述のごとく作成された暗号化電子ファイルを派遣先企業（被提供者端末３０）に配布する前に、提供先通知手段１４によって、その暗号化電子ファイルの提供先情報（配布先の企業の情報）を、その暗号化電子ファイルに含まれるプロフィールの登録者（登録者端末４０）に対し、例えば電子メール等によって通知する（図２の矢印Ａ６参照）。
【００７２】
提供者端末１０から提供先情報の通知を受けた登録者端末４０では、自分のプロフィールを提供される派遣先企業名がチェックボックス付きで表示され、その表示を参照した登録者は、キーボード，マウス等を操作してチェックボックスをオン／オフすることによりプロフィールの提供を望むか否かを派遣先企業毎に設定した上で、そのチェックボックスのチェック結果（取捨選択結果）を、提供先情報を通知されたことに対する回答として、応答手段４４によって提供者端末１０に返信する（図２の矢印Ａ７参照）。
【００７３】
登録者端末４０からの返信を受けた提供者端末１０では、登録者の要望（取捨選択結果）に応じて暗号化電子ファイルの提供先が最終的に決定され、上述のごとく作成された暗号化電子ファイルが、１以上の被提供者端末３０に対して、メールに添付され電子的に配布されるか、もしくは、フレキシブルディスク，ＣＤ−Ｒなどの記録媒体に格納され物理的に配布される（図２の矢印Ａ８参照）。
【００７４】
暗号化電子ファイルの配布後、他の人材派遣会社で派遣先が決まった、あるいは、決まりそうだといった理由により、登録者が、自分のプロフィールを含む電子ファイルに対するアクセス制限を変更して閲覧等のアクセスを禁止したりアクセス可能期間を短縮したりすることを望む場合には、登録者端末４０のアクセス制限変更要求手段４２により、その電子ファイルのアクセス制限の変更要求を、登録者の認証情報（ユーザＩＤおよびパスワード）および対象電子ファイルのドキュメントＩＤとともに、アプリケーションサーバ５０に発行する（図２の矢印Ａ９参照）。
【００７５】
アプリケーションサーバ５０では、登録者端末４０から変更要求とともにユーザＩＤ，パスワードおよびドキュメントＩＤを受信すると、まず、登録者／被提供者認証手段５１により、受信したユーザＩＤに対応付けられたパスワードがサーバ２０におけるデータベースから読み出され、受信したパスワードと読み出されたパスワードとの照合を行なって登録者端末４０（登録者）が正当な登録者であるか否かの認証判定を行なう。
【００７６】
登録者が正当な登録者であることが認証されると、アクセス制限変更手段５３により、登録者端末４０からの変更要求に応じて、ファイルアクセス管理サーバ２０（アクセス制限保存手段２１）に設定されている対象電子ファイルに対するアクセス制限（アクセス可能期間／アクセス権）の変更依頼がファイルアクセス管理サーバ２０に対して行なわれる（図２の矢印Ａ１０参照）。
【００７７】
この変更依頼に応じた変更がファイルアクセス管理サーバ２０で完了し、その変更についての完了通知がアプリケーションサーバ５０で受信されると（図２の矢印Ａ１１参照）、応答手段５４により、登録者端末４０からの変更要求が受け付けられた旨を通知する応答ページ（例えば図１７もしくは図１８と同様のもの；「変更を受付ました」を表示する応答ページ）が作成され登録者端末４０に送信される（図２の矢印Ａ１２参照）。
【００７８】
このときのアクセス制限の変更としては、アクセス可能期間やアクセス権の内容の変更のほか、現在アクセス可能な提供先端末３０をアクセス不可の状態にする変更や、現在アクセス不可能な提供先端末３０をアクセス可能の状態にする変更も含まれている。つまり、上述したように、登録者は、アクセス制限変更要求手段４２によってアプリケーションサーバ５０に対して変更要求を発行することにより、アクセス制限変更手段５３によってファイルアクセス管理サーバ２０（アクセス制限保存手段２１）に設定されているアクセス制限を変更し、現在、自分のプロフィールを含む電子ファイルにアクセス可能な複数の被提供者端末３０のうちの一部もしくは全部を指定してアクセスを禁止することができる。
【００７９】
一方、ある一の被提供者端末３０において、配布された暗号化電子ファイルを開封し電子ファイル（プロフィール）を参照・閲覧する際には、まず、被提供者端末３０の認証要求手段３１から、被提供者の認証情報（ユーザＩＤおよびパスワード）とともに暗号化電子ファイルのドキュメントＩＤをファイルアクセス管理サーバ２０に送信して被提供者の認証要求を行なう（図２の矢印Ａ１３参照）。
【００８０】
ファイルアクセス管理サーバ２０では、被提供者端末３０から認証要求とともにユーザＩＤ，パスワードおよびドキュメントＩＤを受信すると、提供者／被提供者認証手段２３により、受信したユーザＩＤに対応付けられたパスワードがサーバ２０におけるデータベースから読み出され、受信したパスワードと読み出されたパスワードとの照合を行なって被提供者端末３０（被提供者）が正当な利用者であるか否かの認証判定を行なう。
【００８１】
また、受信したドキュメントＩＤおよびユーザＩＤに対応付けられたアクセス制限（アクセス可能期間およびアクセス権）がアクセス制限保存手段２１から読み出され、判定手段２４により、その暗号化電子ファイルに対するアクセスが、読み出されたアクセス制限内であるか否かを判定する。つまり、その暗号化電子ファイルについてのアクセス可能期間と被提供者端末３０のアクセス日時とを比較することにより、そのアクセス日時がアクセス可能期間内であるか否かを判定するとともに、その暗号化電子ファイルに対するアクセスの種別が、読み出されたアクセス権に対応するものか否かを判定する。
【００８２】
被提供者が正当な利用者であることが認証され且つ暗号化電子ファイルに対するアクセスがアクセス制限内であると判定された場合には、その暗号化電子ファイルに対応する復号鍵が、復号鍵保存手段２２から読み出されて被提供者端末３０へ送信される（図２の矢印Ａ１４参照）。
【００８３】
被提供者端末３０では、ファイルアクセス管理サーバ２０から復号鍵を受信すると、復号化手段３２により、その復号鍵を用いて暗号化電子ファイルが復号化され電子ファイルが復元され、復元された電子ファイルに対し、アクセス権を与えられた種別のアクセスを許可されることになる。つまり、被提供者端末３０において、アクセス手段３３により、復元された電子ファイルに対し、アクセス権を与えられた種別のアクセス（例えば閲覧，コピー，印刷等）を実行することが可能になる。
【００８４】
このようにして開封された電子ファイルを閲覧・参照した被提供者が、その電子ファイルで紹介された人材について、採用のリザーブもしくは決定を要求する際には、被提供者端末３０上で所定フォームのクエリを作成し、クエリ発行手段３４によりそのクエリをアプリケーションサーバ５０に送信・発行する（図２の矢印Ａ１５参照）。このとき、認証要求手段３１から、被提供者の認証情報（ユーザＩＤおよびパスワード）とともに電子ファイルのドキュメントＩＤをアプリケーションサーバ５０に送信して被提供者の認証要求を行なう（図２の矢印Ａ１５参照）。
【００８５】
アプリケーションサーバ５０では、被提供者端末３０から認証要求とともにユーザＩＤ，パスワードおよびドキュメントＩＤを受信すると、登録者／被提供者認証手段５１により、受信したユーザＩＤに対応付けられたパスワードがサーバ２０におけるデータベースから読み出され、受信したパスワードと読み出されたパスワードとの照合を行なって被提供者端末３０（被提供者）が正当な利用者であるか否かの認証判定を行なう。また、閲覧権限照合手段５２により、被提供者のユーザＩＤと被提供者端末３０で復元された電子ファイルのドキュメントＩＤとに対応付けられたアクセス権が、サーバ２０におけるアクセス制限保存手段２１から読み出され、クエリを発行した被提供者端末３０（被提供者）がその電子ファイルに対する閲覧権限を有しているか否かを照合・確認する。
【００８６】
被提供者が正当な利用者であることが認証され且つ被提供者端末３０が閲覧権限を有していることが確認されると、アクセス制限変更手段５３により、被提供者端末３０からのクエリの内容（リザーブ要求か決定要求か）に応じて、ファイルアクセス管理サーバ２０（アクセス制限保存手段２１）に設定されている被提供者の電子ファイルに対するアクセス制限（アクセス可能期間またはアクセス権）の変更依頼がファイルアクセス管理サーバ２０に対して行なわれる（図２の矢印Ａ１６参照）。
【００８７】
この変更依頼に応じた変更がファイルアクセス管理サーバ２０で完了し、その変更についての完了通知がアプリケーションサーバ５０で受信されると（図２の矢印Ａ１７参照）、応答手段５４により、被提供者端末３０からのリザーブ要求もしくは決定要求が受け付けられた旨を通知する応答ページ（例えば図１７もしくは図１８参照）が作成され被提供者端末３０に送信される（図２の矢印Ａ１８参照）。
なお、図２の矢印Ａ１３〜Ａ１８に対応する、被提供者端末３０による電子ファイル閲覧手順／リザーブ手順の詳細については、図５および図１４〜図１８を参照しながら後述する。
【００８８】
〔３〕本実施形態の電子ファイル管理システムの詳細な動作
ついで、図３〜図１８を参照しながら、上述のごとく構成された本実施形態の電子ファイル管理システム１の、より詳細な動作について説明する。なお、図３〜図５はいずれも本実施形態の電子ファイル管理システム１の動作を説明するためのフローチャート、図６〜図１８はいずれも本実施形態の提供者端末１０もしくは被提供者端末３０での表示例を示す図である。
【００８９】
〔３−１〕提供者端末による電子ファイル作成手順／アクセス制限設定手順
図３に示すフローチャート（ステップＳ２００〜Ｓ２１６およびＳ１０１〜Ｓ１０８）に従って、提供者端末１０による電子ファイル作成手順／アクセス制限設定手順について説明する。
【００９０】
図３に示すように、提供者端末１０上で、派遣人材のプロフィールを含む、クエリ送信フォーム付き電子ファイルを作成する際（ステップＳ２００）、まず、提供者が、ドキュメント（電子ファイル）の権限設定メニューを選択すると（ステップＳ２０１）、所定プラグインが起動され、図６に示すような、ファイルアクセス管理ツール（ＤＫＳ：Data KeyServerTM）へのログインメニューが表示される（ステップＳ２０２）。このログインメニューで提供者がユーザＩＤおよびパスワードを入力すると（ステップＳ２０３）、提供者端末１０の認証要求手段１１からファイルアクセス管理サーバ２０に対し提供者の認証要求が行なわれる。
【００９１】
ファイルアクセス管理サーバ２０では、提供者端末１０からユーザＩＤおよびパスワードを受信すると、提供者／被提供者認証手段２３により、受信したユーザＩＤに対応付けられたパスワードがサーバ２０におけるデータベースから読み出され（ステップＳ１０１）、受信したパスワードと読み出されたパスワードとの照合を行なって提供者端末１０（提供者）が正当な利用者であるか否かの認証判定が行なわれる（ステップＳ１０２）。
【００９２】
認証判定の結果、ユーザＩＤ等が入力されていない場合もしくはパスワード不一致であった場合もしくは受信したユーザＩＤに対応付けられたパスワードが存在しなかった場合（ステップＳ１０２のＮｏルート）、認証エラーログ（ユーザＩＤ，エラー内容，日時，ＩＰアドレス，ＰＣ名，ドキュメントＩＤなどを含む）をデータベースに保存してから（ステップＳ１０３）、認証失敗データを提供者端末１０に送信し（ステップＳ１０４）、提供者端末１０で、例えば図７に示すようなエラーアラートを表示させる（ステップＳ２０４）。なお、図７に示すエラーアラートの例は、ユーザＩＤが入力されていない場合に表示されるものである。このようなエラーアラートを参照した提供者は、ユーザＩＤ／パスワードを再入力するか電子ファイル作成処理を終了する。
【００９３】
一方、ステップＳ１０２での認証判定の結果、パスワードが一致した場合（Ｙｅｓルート）、認証成功ログ（ユーザＩＤ，日時，ＩＰアドレス，ＰＣ名，ドキュメントＩＤなどを含む）をデータベースに保存してから（ステップＳ１０５）、認証成功データを提供者端末１０に送信し（ステップＳ１０６）、提供者端末１０で図８に示すようなドキュメントの権限メニューを表示させる（ステップＳ２０５）。
【００９４】
ドキュメントの権限メニューを参照した提供者は、まず電子ファイル（ドキュメント）のタイトル，キーワード，概要を入力してから（ステップＳ２０５）、図９に示すようなユーザの追加メニューや、図１０に示すようなグループの追加メニューや、図１１に示すようなポリシの追加メニューを表示させ（ステップＳ２０６）、各メニューでユーザ（被提供者の名前；本実施形態では派遣先企業の名称や担当者氏名など）やグループ（グループ単位で権限を付与する場合に設定される情報）やポリシ（繰り返し同じ権限を付与する場合に設定操作を簡略化すべく権限を登録される情報）や権限（アクセス権）を入力する（ステップＳ２０７，Ｓ２０８）。
【００９５】
権限の入力を完了すると、図１２に示すようなドキュメントの有効期限メニューが表示され（ステップＳ２０９）、提供者は、ステップＳ２０８で入力された権限の有効期限（アクセス可能期間）を入力してから（ステップＳ２１０）、メニューを閉じる（ステップＳ２１１）。これに伴い、提供者端末１０上のディスプレイには、図１３に示すようなドキュメント保存アラートが表示され（ステップＳ２１２）、これを参照した提供者がドキュメントの保存（「はい」）を選択すると（ステップＳ２１３）、ファイルアクセス管理サーバ２０に、ドキュメント情報とともにステップＳ２０８，Ｓ２１０で入力された権限（アクセス権）や有効期限情報が送信され、アクセス制限保存手段２１に保存される（ステップＳ１０７）。
【００９６】
この後、アクセス制限保存手段２１に対する保存の完了判定が行なわれ（ステップＳ１０８）、保存を正常に完了できなかった場合（ステップＳ１０８のＮｏルート）には、提供者端末１０でエラーアラートが表示される（ステップＳ２１４）。
一方、保存を正常に完了した場合（ステップＳ１０８のＹｅｓルート）には、クエリ送信フォーム付き電子ファイルが、提供者端末１０の電子ファイル作成手段１３により、その電子ファイルに設定されたアクセス権に応じた暗号鍵を用いて暗号化されて、派遣先企業に提供するための暗号化電子ファイルが作成され、プロフィール／電子ファイル保存手段１５に保存される（ステップＳ２１５）。
【００９７】
このように提供者端末１０で作成された暗号化電子ファイルは、1以上の被提供者端末３０に対して、メール（Ｅ−ｍａｉｌ）に添付され電子的に配布されるか、もしくは、フレキシブルディスク，ＣＤ−Ｒなどの記録媒体（記録メディア）に格納され物理的に配布される（ステップＳ２１６）。
【００９８】
〔３−２〕提供者端末による電子ファイル閲覧手順／アクセス制限変更手順
図４に示すフローチャート（ステップＳ２２０〜Ｓ２２４およびＳ１１１〜Ｓ１１６）に従って、提供者端末１０による電子ファイル閲覧手順／アクセス制限変更手順について説明する。
【００９９】
図３に示す手順で作成された電子ファイルを提供者端末１０上で閲覧するとともにその電子ファイルに設定されたアクセス制限（アクセス権や有効期限）を変更する際には、図４に示すように、提供者が閲覧／変更対象の電子ファイルを開く操作を行なうことにより（ステップＳ２２０）、所定プラグインが起動され、図６に示すような、ファイルアクセス管理ツール（ＤＫＳ）へのログインメニューが表示される（ステップＳ２２１）。このログインメニューで提供者がユーザＩＤおよびパスワードを入力すると（ステップＳ２２２）、提供者端末１０の認証要求手段１１からファイルアクセス管理サーバ２０に対し提供者の認証要求が行なわれる。
【０１００】
ファイルアクセス管理サーバ２０では、提供者端末１０からユーザＩＤおよびパスワードを受信すると、提供者／被提供者認証手段２３により、受信したユーザＩＤに対応付けられたパスワードがサーバ２０におけるデータベースから読み出され（ステップＳ１１１）、受信したパスワードと読み出されたパスワードとの照合を行なって提供者端末１０（提供者）が正当な利用者であるか否かの認証判定が行なわれる（ステップＳ１１２）。
【０１０１】
認証判定の結果、ユーザＩＤ等が入力されていない場合もしくはパスワード不一致であった場合もしくは受信したユーザＩＤに対応付けられたパスワードが存在しなかった場合（ステップＳ１１２のＮｏルート）、認証エラーログ（ユーザＩＤ，エラー内容，日時，ＩＰアドレス，ＰＣ名，ドキュメントＩＤなどを含む）をデータベースに保存してから（ステップＳ１１３）、認証失敗データを提供者端末１０に送信し（ステップＳ１１４）、提供者端末１０で、例えば図７に示すようなエラーアラートを表示させる（ステップＳ２２３）。このエラーアラートを参照した提供者は、ユーザＩＤ／パスワードを再入力するか電子ファイル閲覧処理を終了する。
【０１０２】
一方、ステップＳ１１２での認証判定の結果、パスワードが一致した場合（Ｙｅｓルート）、認証成功ログ（ユーザＩＤ，日時，ＩＰアドレス，ＰＣ名，ドキュメントＩＤなどを含む）をデータベースに保存してから（ステップＳ１１５）、認証成功データを提供者端末１０に送信し（ステップＳ１１６）、提供者端末１０において、プロフィール／電子ファイル保存手段１５に保存された暗号化電子ファイルから電子ファイル（プロフィール，履歴書）が復元され、図１４に示すように表示される（ステップＳ２２４）。そして、この後、表示された電子ファイルについてアクセス制限の設定変更を行なう場合には、図３のステップＳ２０１〜Ｓ２１５およびＳ１０１〜Ｓ１０８と同様の処理が実行される。
【０１０３】
〔３−３〕被提供者端末による電子ファイル閲覧手順／リザーブ手順／決定手順
図５に示すフローチャート（ステップＳ３００〜Ｓ３０９，Ｓ１２１〜Ｓ１２６，Ｓ４０１〜Ｓ４１４およびＳ４２０〜Ｓ４２３）に従って、被提供者端末３０による電子ファイル閲覧手順／リザーブ手順／決定手順について説明する。
【０１０４】
図３に示す手順で作成された暗号化電子ファイルや図４に示す手順で設定変更された暗号化電子ファイルを被提供者に配布した後、被提供者がその暗号化電子ファイルを閲覧する際には、被提供者が被提供者端末３０でその暗号化電子ファイルを開く操作を行なうことにより（ステップＳ３００）、所定プラグインが起動され、図６に示すような、ファイルアクセス管理ツール（ＤＫＳ）へのログインメニューが表示される（ステップＳ３０１）。このログインメニューで被提供者がユーザＩＤおよびパスワードを入力すると（ステップＳ３０２）、被提供者端末３０の認証要求手段３１からファイルアクセス管理サーバ２０に対し被提供者の認証要求が行なわれる。
【０１０５】
ファイルアクセス管理サーバ２０では、被提供者端末３０からユーザＩＤおよびパスワードを受信すると、提供者／被提供者認証手段２３により、受信したユーザＩＤに対応付けられたパスワードがサーバ２０におけるデータベースから読み出され（ステップＳ１２１）、受信したパスワードと読み出されたパスワードとの照合を行なって被提供者端末３０（被提供者）が正当な利用者であるか否かの認証判定が行なわれる（ステップＳ１２２）。
【０１０６】
認証判定の結果、ユーザＩＤ等が入力されていない場合もしくはパスワード不一致であった場合もしくは受信したユーザＩＤに対応付けられたパスワードが存在しなかった場合（ステップＳ１２２のＮｏルート）、認証エラーログ（ユーザＩＤ，エラー内容，日時，ＩＰアドレス，ＰＣ名，ドキュメントＩＤなどを含む）をデータベースに保存してから（ステップＳ１２３）、認証失敗データを被提供者端末３０に送信し（ステップＳ１２４）、被提供者端末３０で、例えば図７に示すようなエラーアラートを表示させる（ステップＳ３０３）。このエラーアラートを参照した被提供者は、ユーザＩＤ／パスワードを再入力するか電子ファイル閲覧処理を終了する。
【０１０７】
一方、ステップＳ１２２での認証判定の結果、パスワードが一致した場合（Ｙｅｓルート）、本実施形態のファイルアクセス管理サーバ２０では、前述した通り、受信したドキュメントＩＤおよびユーザＩＤに対応付けられたアクセス制限がアクセス制限保存手段２１から読み出され、判定手段２４により、暗号化電子ファイルに対するアクセスが、読み出されたアクセス制限内であるか否かの判定も行なわれる。
【０１０８】
そして、アクセス制限内であると判定された場合には、認証成功ログ（ユーザＩＤ，日時，ＩＰアドレス，ＰＣ名，ドキュメントＩＤなどを含む）をデータベースに保存してから（ステップＳ１２５）、認証成功データを被提供者端末３０に送信するとともに（ステップＳ１２６）、復号鍵送信手段２５により、暗号化電子ファイルに対応する復号鍵が、復号鍵保存手段２２から読み出されて被提供者端末３０へ送信される（図２の矢印Ａ１４参照）。
【０１０９】
被提供者端末３０では、ファイルアクセス管理サーバ２０から復号鍵を受信すると、復号化手段３２により、その復号鍵を用いて暗号化電子ファイルが復号化され電子ファイルが復元され、復元された電子ファイルに対し、アクセス権を与えられた種別のアクセスを許可される。ここで少なくとも閲覧権は与えられているものとすると、復元された電子ファイル（プロフィール，履歴書）は図１４に示すように表示され（ステップＳ３０４）、被提供者がその電子ファイルを閲覧することが可能になる。このとき、電子ファイルに人材についての動画像情報や音声情報が添付されている場合には、被提供者端末３０のディスプレイ上で人材についての画像（例えば顔写真等）をクリックすることにより、この顔画像にリンクされた動画像／音声再生ツールが起動され動画像情報や音声情報が被提供者端末３０で再生される。
【０１１０】
このように表示・再生された電子ファイルを閲覧・参照した被提供者が、その電子ファイルで紹介された人材について、採用のリザーブもしくは決定を要求する際には、被提供者端末３０上で、電子ファイルに付与されているクエリ送信フォームに所定事項（ユーザＩＤ，パスワード，ドキュメントＩＤ，リザーブ／決定など）を入力してクエリを作成し（ステップＳ３０５）、そのクエリをアプリケーションサーバ５０に送信することによりアプリケーションサーバ５０に対し被提供者の認証要求が行なわれる（図２の矢印Ａ１５参照）。
【０１１１】
アプリケーションサーバ５０では、被提供者端末３０から認証要求とともにユーザＩＤ，パスワードおよびドキュメントＩＤを受信すると、登録者／被提供者認証手段５１により、受信したユーザＩＤに対応付けられたパスワードがファイルアクセス管理サーバ２０におけるデータベースから読み出され（ステップＳ４０１）、受信したパスワードと読み出されたパスワードとの照合を行なって被提供者端末３０（被提供者）が正当な利用者であるか否かの認証判定を行なう（ステップＳ４０２）。
【０１１２】
認証判定の結果、パスワード不一致であった場合もしくは受信したユーザＩＤに対応付けられたパスワードが存在しなかった場合（ステップＳ４０２のＮｏルート）、認証エラーログ（ユーザＩＤ，エラー内容，日時，ＩＰアドレス，ドキュメントＩＤなどを含む）を保存手段５５に保存してから（ステップＳ４０３）、応答手段５４により図１５に示すような認証エラーページを生成して被提供者端末３０に送信し（ステップＳ４０４）、この認証エラーページを被提供者端末３０で表示させる（ステップＳ３０６）。
【０１１３】
ステップＳ４０２での認証判定の結果、パスワードが一致した場合（Ｙｅｓルート）、閲覧権限照合手段５２により、被提供者のユーザＩＤと被提供者端末３０で復元された電子ファイルのドキュメントＩＤとに対応付けられたアクセス権が、ファイルアクセス管理サーバ２０におけるアクセス制限保存手段２１から読み出され（ステップＳ４０５）、クエリを発行した被提供者端末３０（被提供者）がその電子ファイルに対する閲覧権限を有しているか否かを照合・確認する（ステップＳ４０６）。
【０１１４】
その結果、被提供者端末３０が閲覧権限を有していないことが確認された場合（ステップＳ４０６のＮｏルート）には、権限照合エラーログ（ユーザＩＤ，日時，ＩＰアドレス，ドキュメントＩＤなどを含む）を保存手段５５に保存してから（ステップＳ４０７）、応答手段５４により図１６に示すような権限照合エラーページを生成して被提供者端末３０に送信し（ステップＳ４０８）、この権限照合エラーページを被提供者端末３０で表示させる（ステップＳ３０７）。
【０１１５】
ステップＳ４０６での確認の結果、被提供者端末３０が閲覧権限を有していることが確認された場合（ステップＳ４０６のＹｅｓルート）には、ファイルアクセス管理サーバ２０におけるアクセス制限保存手段２１から読み出された元々の有効期限（オリジナル有効期限／アクセス可能期間）を保存手段５５に保存するとともに（ステップＳ４０９）、今回クエリを発行したユーザ（被提供者）以外のユーザ（他ユーザ／他の被提供者）についての当該電子ファイルに対するアクセス有効期限（アクセス可能期間）を、「期限切れ」に変更してファイルアクセス管理サーバ２０のアクセス制限保存手段２１に保存・設定する（ステップＳ４１０）。
【０１１６】
この後、クエリの要求内容が、人材の面接／採用を予約するリザーブ要求であるか、人材の面接／採用を決定する決定要求であるかを判断し（ステップＳ４１１）、「リザーブ」である場合には、リザーブ状態から面接／採用を最終的に決定するまでの有効期限（リザーブ有効期限）を設定し、そのリザーブ有効期限をドキュメントＩＤに対応付けて対応保存手段５５に保存してから（ステップＳ４１２）、応答手段５４により図１７に示すようなリザーブ受付ページを生成して被提供者端末３０に送信し（ステップＳ４１３）、このリザーブ受付ページを被提供者端末３０で表示させる（ステップＳ３０８）。
【０１１７】
このリザーブ受付ページは、リザーブ要求を受け付けた旨を、ユーザＩＤ，ドキュメントＩＤおよびリザーブ有効期限とともに、被提供者に通知するものである。これにより、ある被提供者が電子ファイルで閲覧した人材についてリザーブ要求を行なうと、リザーブ有効期限までの間は他の被提供者がその電子ファイルにアクセス（閲覧）することを禁止することができる。
【０１１８】
クエリの要求内容が「決定」である場合には、応答手段５４により図１８に示すような決定受付ページを生成して被提供者端末３０に送信し（ステップＳ４１４）、この決定受付ページを被提供者端末３０で表示させる（ステップＳ３０９）。この決定受付ページは、決定要求を受け付けた旨を、ユーザＩＤおよびドキュメントＩＤとともに、被提供者に通知するものである。なお、アプリケーションサーバ５０において、面接／採用の決定要求が受け付けられた場合には、その旨が、提供者端末１０（提供者）に通知されるとともに、この提供者端末１０を介して登録者端末４０（登録者本人）にも通知されることになる。
【０１１９】
なお、本実施形態のアプリケーションサーバ５０は、被提供者端末３０からのクエリに応じてリザーブを受け付けリザーブ有効期限を保存手段５５に保存した場合、例えば一日に一度、リザーブ有効期限チェック処理（ステップＳ４２０〜Ｓ４２３）を起動・実行することになる。このチェック処理が起動されると（ステップＳ４２０）、保存手段５５に保存されたリザーブ有効期限およびオリジナル有効期限を参照し（ステップＳ４２１）、リザーブ有効期限が期限切れになっているか否かを判断する（ステップＳ４２２）。
【０１２０】
リザーブ有効期限が期限切れではない場合（ステップＳ４２２のＮｏルート）、そのチェック処理を終了する一方、リザーブ有効期限が期限切れになっている場合（ステップＳ４２２のＹｅｓルート）、当該電子ファイルに対する閲覧権限を保有するユーザ（被提供者）についてのアクセス有効期限（アクセス可能期間）を、「期限切れ」から「オリジナル有効期限」に変更してファイルアクセス管理サーバ２０のアクセス制限保存手段２１に保存・設定する（ステップＳ４２３）。これにより、リザーブ要求を行なった被提供者がリザーブ有効期限内に決定を行なわなかった場合には、アクセス禁止状態が解除され、他の被提供者が電子ファイルを閲覧してリザーブ要求や決定要求を行なうことができるようになる。
【０１２１】
〔４〕本実施形態の電子ファイル管理システムの効果
このように本発明の一実施形態としての電子ファイル管理システム１によれば、被提供者端末３０による電子ファイルに対するアクセスが、ファイルアクセス管理サーバ２０によって管理され、予め設定されたアクセス制限内（アクセス可能期間内やアクセス権）に制限されるので、個人情報（プロフィール）を含む電子ファイルを企業等の被提供者に配布・提供した場合に、その配布・提供先での電子ファイルに対するアクセスを制限することができる。
【０１２２】
従って、配布・提供先でアクセス可能期間だけ電子ファイルの個人情報を閲覧・参照できるようにしたり、配布・提供先で個人情報の閲覧・参照を許可しながら個人情報のコピーや印刷を禁止したりすることが可能になり、配布・提供先での個人情報保護に対する意識や対応に依存することなく、個人情報の不用意な流出・漏洩や個人情報の不正利用などが確実に防止され、個人情報を確実に保護することができる。
【０１２３】
また、自分のプロフィールを提供者端末１０に登録した登録者本人は、アプリケーションサーバ５０にアクセスしそのプロフィールを含む電子ファイルに対するアクセス制限（アクセス可能期間やアクセス権）を変更することができるほか、プロフィールを提供者端末１０に登録する際にそのプロフィールを含む電子ファイルに対するアクセス制限を自分で指定することができるので、登録者は、自分の個人情報の管理を提供者に任せきりにすることなく、自分の個人情報を含む電子ファイルを自分で管理し、自分の個人情報に対する閲覧等のアクセス期限を設定・変更したり、必要に応じて自分の個人情報の開示を停止したりすることができ、自分で自分の個人情報を保護することが可能になる。
【０１２４】
さらに、電子ファイルの提供先情報が提供者端末１０から登録者端末４０に通知され、その通知内容に対する回答を応答手段４４によって返信することができるので、登録者は、自分の個人情報がどこに提供される（提供された）かを認識できるだけでなく、自分の個人情報を含む電子ファイルが提供者によって配布される際に自分の要望・意志を反映させることが可能になる。
【０１２５】
このとき、本実施形態では、登録者は、登録者端末４０から提供先（被提供者；ここでは派遣先企業）の取捨選択を行なうことができるので、自分のプロフィールを含む電子ファイルを、自分の要望に応じた提供先（派遣先企業）に対してのみ提供することが可能になる。また、登録者は、アプリケーションサーバ５０に対してアクセス制限の変更要求を行なうことにより、アプリケーションサーバ５０を介して自分の個人情報を提供された複数の提供先のうちの一部もしくは全部を指定してアクセスを禁止することも可能である。
【０１２６】
また、本実施形態では、被提供者が電子ファイルによって紹介された人材の面接／採用を予約もしくは決定する場合には、被提供者端末３０からアプリケーションサーバ５０に対してクエリを発行してリザーブ要求もしくは決定要求を行なうだけでよい。アプリケーションサーバ５０では、被提供者端末３０からリザーブ要求もしくは決定要求があった場合には、それ以後、他の被提供者がその電子ファイルにアクセス（閲覧）することを禁止することができる。
【０１２７】
特に、リザーブ要求があった場合、アプリケーションサーバ５０では、そのリザーブ要求を発行した被提供者端末３０についてリザーブ有効期限が設定され、そのリザーブ有効期限までの間は他の被提供者がその電子ファイルにアクセス（閲覧）することを禁止される。そして、アプリケーションサーバ５０において、そのリザーブ有効期限が管理され、被提供者がリザーブ有効期限内に採用決定を行なわなかった場合〔つまり、リザーブ要求を行なった被提供者端末３０が所定クエリ（ここでは決定要求）を発行しなかった場合〕には、アクセス禁止状態を解除し、他の被提供者が電子ファイルを閲覧してリザーブ要求や決定要求を行なうことができる。
【０１２８】
このように、本実施形態のシステム１を採用することにより、人材を紹介するシステムとしての利便性が大幅に高まることになる。
このとき、本実施形態では、電子ファイルに、個人情報（プロフィール）として、個人の経歴情報を格納しさらにその個人に係る動画像や音声情報を格納することで、個人情報を確実に保護しながら、応募者は、派遣先企業である被提供者側へ直接出向くことなく、自己アピールすることができる。
【０１２９】
〔５〕変形例
なお、上述した実施形態では、登録者端末４０（応答手段４４）から、提供先情報を通知したことに対する回答として、被提供者の取捨選択の結果を提供者端末１０に返信する場合について説明したが、その回答としては、例えば、提供先情報に含まれる各被提供者に対し、提供先情報を参照した登録者によって指定された優先順位を返信してもよいし、提供先情報を参照した登録者によって被提供者毎に指定された、各被提供者に提供されるべき提供情報（個人情報）の内容を返信してもよい。
【０１３０】
登録者端末４０（応答手段４４）から、提供先情報を通知したことに対する回答として、各被提供者についての優先順位の指定（登録者が自分の提供情報の提供を望む被提供者の順位の指定；つまり第１希望，第２希望，第３希望…の被提供者の指定）を提供者端末１０が受けた場合、提供者端末１０は、その優先順位に従って、以下のように、暗号化電子ファイルの配布や、各被提供者端末３０に対する対応を行なう。
【０１３１】
例えば、第１希望（つまり優先順位第１位）に指定された被提供者（派遣先企業）から順に時期をずらしながら暗号化電子ファイルを配布する。第１希望の被提供者（派遣先企業）に配布後、所定期間待っても、その第１希望の被提供者（派遣先企業）から何らクエリが発行されない場合には、第２希望（つまり優先順位第２位）に指定された被提供者（派遣先企業）に暗号化電子ファイルを配布し、以下、同様にして、第３希望（優先順位第３位）以降の被提供者（派遣先企業）に暗号化電子ファイルを配布することにより、登録者の希望に応じた提供情報の配布を行なうことが可能になる。
【０１３２】
本実施形態のシステム１では、各被提供者端末３０からのクエリの発行状況がアプリケーションサーバ５０によって管理されており、提供者端末１０は、アプリケーションサーバ５０によって管理されている各被提供者端末３０からのクエリの発行状況を把握し、その発行状況に基づいて、上述した暗号化電子ファイルの配布を行なうことになる。
【０１３３】
また、暗号化電子ファイルを全ての被提供者端末３０に対して一斉に配布した後、上記優先順位に従って、各被提供者端末３０に対する対応を行なってもよい。この場合も、提供者端末１０は、アプリケーションサーバ５０を介して各被提供者端末３０からのクエリの発行状況を把握しておく。そして、提供者端末１０は、その暗号化電子ファイルに対し、優先順位第２位以下、例えば第ｎ（≧２）位の被提供者端末３０からクエリ（リザーブ要求もしくは決定要求）が発行されたことを認識すると、そのクエリを発行した被提供者端末３０よりも優先順位の高い被提供者端末３０、つまり優先順位第１位〜第ｎ−１位の被提供者端末３０に対し、当該暗号化電子ファイルに対しクエリが発行されている旨を通知し、当該暗号化電子ファイルに含まれる個人情報（プロフィール）についての検討（その個人情報の登録者についてリザーブするか否かや面接／採用をするか否かの検討）を期限付きで促す。
【０１３４】
これにより、登録者にとって優先順位の低い被提供者（派遣先企業）によるクエリが発行された場合に、それよりも優先順位の高い被提供者が、その登録者についての暗号化電子ファイルに含まれる個人情報について検討する機会を、明示的に与えられることになり、人材派遣の採用を望む登録者にとって、自分で設定した優先順位の中でより上位の派遣先企業によって採用される可能性を高めることができる。
【０１３５】
一方、登録者端末４０（応答手段４４）から、提供先情報を通知したことに対する回答として、各被提供者に提供されるべき個人情報（プロフィール）の内容が返信され、被提供者毎に異なる内容の情報を個人情報として提供する旨の指示を提供者端末１０が受けた場合には、提供者端末１０の電子ファイル作成手段１３は、その指示に従って、被提供者毎に、上記異なる内容の情報を含む電子ファイル（ＰＤＦファイル）を作成する。この場合、ファイルアクセス管理サーバ２０は、被提供者毎に異なる暗号鍵を発行し、提供者端末１０は、被提供者毎に異なる暗号鍵で電子ファイルの暗号化を行なう。
【０１３６】
これにより、万一、誤って、その内容を提供すべき被提供者端末３０とは違う端末（派遣先企業）に、暗号化電子ファイルを配布してしまっても、その端末では暗号化電子ファイルを開封することができず、その内容を参照できないので、登録者の個人情報を確実に保護することができる。また、登録者は、各被提供者（派遣先企業）に応じた内容の情報を被提供者（派遣先企業）毎に指定して提供することができ、被提供者（派遣先企業）に応じた情報提供や自己アピールを行なうことが可能である。
【０１３７】
被提供者毎に異なる内容の情報を個人情報として提供する旨の指示は、各被提供者に対して提供されるべき個人情報の内容を、例えば、登録手段４１によって提供者端末１０に予め登録された上記プロフィール（具体的には、氏名，住所，居所，本籍，国籍，電話番号，メールアドレスなどの連絡先情報や、学歴，職歴，資格などの経歴情報や、写真，動画像，音声などの画像／音声情報や、自己アピール文など）の中から指定することによって行なわれる。
【０１３８】
また、採用を決定した後、採用期間（雇用期間）をアクセス制限のアクセス可能期間として設定し、採用期間満了と同時に、登録者を採用した被提供者（派遣先企業）でさえ、暗号化電子ファイルの内容を参照することができないようにしてもよい。これにより、登録者の提供情報（個人情報）を確実に保護することができる。この場合、採用を決定した被提供者のアクセス可能期間を採用期間に設定・変更する操作は、登録者が、登録者端末４０からアプリケーションサーバ５０を介して行なってもよいし、採用決定時に提供者端末１０が自動的に行なってもよい。
【０１３９】
なお、決定要求としては、例えば、面接の決定要求と採用の決定要求の２種類がある。面接の決定要求は、例えば、正社員のごとく長期間採用する人材について採用を検討すべく、被提供者が電子ファイルで閲覧した人材について面接を望む場合に発行されるクエリであり、採用の決定要求は、例えば、上記面接実施後に実際に面接した人材の採用を決定する場合や、イベントコンパニオンやアルバイトのごとく短期間採用する人材について面接を行なうことなく被提供者が電子ファイルで閲覧した人材の採用を直ちに決定する場合に発行されるクエリである。
【０１４０】
〔６〕その他
なお、本発明は上述した実施形態に限定されるものではなく、本発明の趣旨を逸脱しない範囲で種々変形して実施することができる。
例えば、本実施形態では、人材派遣会社が派遣先企業に対し人材を紹介する際にその人材についてのプロフィール等を提供情報として電子ファイルに格納して派遣先企業に配布・提供する場合について説明したが、本発明は、これに限定されるものではなく、プロフィールや経歴情報以外の各種個人情報を提供情報として含む電子ファイルや、個人情報に限らない秘密情報を提供情報として含む電子ファイルを不特定多数の被提供者に配布・提供する場合にも、上述した実施形態と同様に適用され、上述した実施形態と同様の作用効果を得ることができる。
【０１４１】
また、暗号化電子ファイルを作成する際、その電子ファイルの情報の一部を部分的に取り出してファイルアクセス管理サーバ２０で保持し、部分的に情報の一部を切り取られた電子ファイルから暗号化電子ファイルを作成してもよい。この場合、被提供者端末３０では暗号化電子ファイルを復号化して電子ファイルを復元しただけでは、電子ファイルの情報を参照することができず、切り取られた上記情報の一部をファイルアクセス管理サーバ２０から提供されて始めて電子ファイルの内容を参照することが可能になる。従って、電子ファイルに保持される情報（個人情報等）をより確実に保護することができる。
【０１４２】
さらに、本実施形態では、ファイルアクセス管理サーバ２０とアプリケーションサーバ５０とを別体としてそなえた場合について説明しているが、これらのサーバ２０，５０を一つのサーバによって兼用し、サーバ２０，５０としての機能を集中化させてもよい。同様に、本実施形態では、提供者端末１０と登録者端末４０とを別体としてそなえた場合について説明しているが、これらの端末１０，４０を一つの端末によって兼用し、端末１０，４０としての機能を集中化させてもよい。
【０１４３】
また、上述したように、提供者端末１０における各手段１１〜１４，ファイルアクセス管理サーバ２０における各手段２３〜２５，被提供者端末３０における各手段３１〜３４，登録者端末４０における各手段４１〜４４およびアプリケーションサーバ５０における各手段５１〜５４としての機能（各手段の全部もしくは一部の機能）は、コンピュータ（ＣＰＵ，情報処理装置，各種端末を含む）が所定のアプリケーションプログラム（電子ファイル管理プログラム／ファイルアクセス管理プログラム；上述した第１〜第５プログラムを含むプログラム）を実行することによって実現される。
【０１４４】
そのアプリケーションプログラムは、例えばフレキシブルディスク，ＣＤ（ＣＤ−ＲＯＭ，ＣＤ−Ｒ，ＣＤ−ＲＷなど），ＤＶＤ（ＤＶＤ−ＲＯＭ，ＤＶＤ−ＲＡＭ，ＤＶＤ−Ｒ，ＤＶＤ−ＲＷ，ＤＶＤ＋Ｒ，ＤＶＤ＋ＲＷなど）等のコンピュータ読取可能な記録媒体に記録された形態で提供される。この場合、コンピュータはその記録媒体から上記アプリケーションプログラムを読み取って内部記憶装置または外部記憶装置に転送し格納して用いる。また、そのプログラムを、例えば磁気ディスク，光ディスク，光磁気ディスク等の記憶装置（記録媒体）に記録しておき、その記憶装置から通信回線を介してコンピュータに提供するようにしてもよい。
【０１４５】
ここで、コンピュータとは、ハードウエアとＯＳ（オペレーティングシステム）とを含む概念であり、ＯＳの制御の下で動作するハードウエアを意味している。また、ＯＳが不要でアプリケーションプログラム単独でハードウェアを動作させるような場合には、そのハードウェア自体がコンピュータに相当する。ハードウエアは、少なくとも、ＣＰＵ等のマイクロプロセッサと、記録媒体に記録されたコンピュータプログラムを読み取るための手段とをそなえている。上記アプリケーションプログラムは、上述のようなコンピュータに、提供者端末１０における各手段１１〜１４，ファイルアクセス管理サーバ２０における各手段２３〜２５，被提供者端末３０における各手段３１〜３４，登録者端末４０における各手段４１〜４４およびアプリケーションサーバ５０における各手段５１〜５４としての機能を実現させるプログラムコードを含んでいる。また、その機能の一部は、アプリケーションプログラムではなくＯＳによって実現されてもよい。
【０１４６】
さらに、本実施形態における記録媒体としては、上述したフレキシブルディスク，ＣＤ−ＲＯＭ，ＣＤ−Ｒ，ＣＤ−ＲＷ，ＤＶＤ，磁気ディスク，光ディスク，光磁気ディスクのほか、ＩＣカード，ＲＯＭカートリッジ，磁気テープ，パンチカード，コンピュータの内部記憶装置（ＲＡＭやＲＯＭ等のメモリ），外部記憶装置等や、バーコードなどの符号が印刷された印刷物等の、コンピュータ読取可能な種々の媒体を利用することもできる。
【産業上の利用可能性】
【０１４７】
以上のように、本発明によれば、電子ファイルの配布・提供先でのその電子ファイルに対するアクセスを制限することが可能であり、配布・提供先での個人情報保護に対する意識や対応に依存することなく、個人情報の不用意な流出・漏洩や個人情報の不正利用などを確実に防止し、個人情報を確実に保護することができる。
従って、本発明は、例えば経歴情報等の個人情報を含む電子ファイルを企業等に配布・提供するような場合に用いて好適であり、その有用性は極めて高いものと考えられる。
【図面の簡単な説明】
【０１４８】
【図１】本発明の一実施形態としての電子ファイル管理システムの構成を示すブロック図である。
【図２】本実施形態の電子ファイル管理システムの動作を説明するためのシーケンス図である。
【図３】本実施形態の電子ファイル管理システムの動作（提供者端末による電子ファイル作成手順／アクセス制限設定手順）を説明するためのフローチャートである。
【図４】本実施形態の電子ファイル管理システムの動作（提供者端末による電子ファイル閲覧手順／アクセス制限変更手順）を説明するためのフローチャートである。
【図５】本実施形態の電子ファイル管理システムの動作（被提供者端末による電子ファイル閲覧手順／リザーブ手順／決定手順）を説明するためのフローチャートである。
【図６】本実施形態におけるログインメニューの表示例を示す図である。
【図７】本実施形態におけるエラーアラートの表示例を示す図である。
【図８】本実施形態におけるドキュメントの権限メニューの表示例を示す図である。
【図９】本実施形態におけるユーザの追加メニューの表示例を示す図である。
【図１０】本実施形態におけるグループの追加メニューの表示例を示す図である。
【図１１】本実施形態におけるポリシの追加メニューの表示例を示す図である。
【図１２】本実施形態におけるドキュメントの有効期限メニューの表示例を示す図である。
【図１３】本実施形態におけるドキュメント保存アラートの表示例を示す図である。
【図１４】本実施形態における電子ファイル（プロフィール，履歴書）の表示例を示す図である。
【図１５】本実施形態における認証エラーページの表示例を示す図である。
【図１６】本実施形態における権限照合エラーページの表示例を示す図である。
【図１７】本実施形態におけるリザーブ受付ページの表示例を示す図である。
【図１８】本実施形態における決定受付ページの表示例を示す図である。
【符号の説明】
【０１４９】
１  電子ファイル管理システム
１０  提供者端末
１１  認証要求手段
１２  アクセス制限設定手段
１３  電子ファイル作成手段（暗号化手段）
１４  提供先通知手段
１５  プロフィール／電子ファイル保存手段
２０  ファイルアクセス管理サーバ
２１  アクセス制限保存手段（データベース）
２２  復号鍵保存手段（データベース）
２３  提供者／被提供者認証手段
２４  判定手段
２５  復号鍵送信手段
３０  被提供者端末
３１  認証要求手段
３２  復号化手段
３３  アクセス手段
３４  クエリ発行手段
４０  登録者端末
４１  登録手段
４２  アクセス制限変更要求手段
４３  アクセス制限通知手段
４４  応答手段
５０  アプリケーションサーバ
５１  登録者／被提供者認証手段
５２  閲覧権限照合手段
５３  アクセス制限変更手段
５４  応答手段
５５  保存手段（データベース）
６０  ネットワーク（インターネット）
【図１】
2006215922.tif 000003
【図２】
2006215922.tif 000004
【図３】
2006215922.tif 000005
【図４】
2006215922.tif 000006
【図５】
2006215922.tif 000007
【図６】
2006215922.tif 000008
【図７】
2006215922.tif 000009
【図８】
2006215922.tif 000010
【図９】
2006215922.tif 000011
【図１０】
2006215922.tif 000012
【図１１】
2006215922.tif 000013
【図１２】
2006215922.tif 000014
【図１３】
2006215922.tif 000015
【図１４】
2006215922.tif 000016
【図１５】
2006215922.tif 000017
【図１６】
2006215922.tif 000018
【図１７】
2006215922.tif 000019
【図１８】
2006215922.tif 000020
【手続補正書】
【提出日】平成17年7月20日(2005.7.20)
【手続補正１】
【補正対象書類名】特許請求の範囲
【補正対象項目名】全文
【補正方法】変更
【補正の内容】
【特許請求の範囲】
【請求項１】
電子ファイルを提供する提供者側の端末（以下、提供者端末という）と、
該電子ファイルに対するアクセスを管理するファイルアクセス管理サーバと、
該提供者から提供された該電子ファイルに対するアクセスを行なう被提供者側の端末（以下、被提供者端末という）と、
該電子ファイルに含まれる提供情報を該提供者端末に登録する登録者側の端末（以下、登録者端末という）と、
該登録者端末からの要求に応じて、該ファイルアクセス管理サーバにおける、該提供情報を含む電子ファイルについての設定を変更しうるアプリケーションサーバとをそなえて構成され、
該提供者端末が、
該被提供者の該電子ファイルに対するアクセス制限を該ファイルアクセス管理サーバに設定するアクセス制限設定手段と、
所定の暗号鍵を用いて該電子ファイルを暗号化することにより、該被提供者に提供される暗号化電子ファイルを作成する暗号化手段と、
該暗号化電子ファイルを提供する被提供者に関する提供先情報を該登録者端末に通知する提供先通知手段とをそなえて構成され、
該ファイルアクセス管理サーバが、
該暗号化電子ファイルに対するアクセスを行なう該被提供者端末から該被提供者の認証情報を受信すると、該認証情報に基づいて該被提供者が該暗号化電子ファイルの正当な利用者であるか否かの認証判定を行なう被提供者認証手段と、
該被提供者端末による該暗号化電子ファイルに対するアクセスが該アクセス制限内であるか否かの判定を行なう判定手段と、
該被提供者認証手段により該被提供者が正当な利用者であることが認証され且つ該判定手段により該アクセスが該アクセス制限内であると判定された場合に、該暗号化電子ファイルを復号化する復号鍵を該被提供者端末に送信する復号鍵送信手段とをそなえて構成され、
該被提供者端末が、
該暗号化電子ファイルの開封時に該ファイルアクセス管理サーバに対して該被提供者の認証情報を送信して認証要求を行なう認証要求手段と、
該ファイルアクセス管理サーバから該復号鍵を受信すると、該復号鍵を用いて該暗号化電子ファイルを復号化することにより該電子ファイルを復元する復号化手段とをそなえて構成され、
該登録者端末が、
該電子ファイルに含まれる提供情報を該提供者端末に登録する登録手段と、
該ファイルアクセス管理サーバに設定されている、該提供情報を含む電子ファイルに対するアクセス制限の変更要求を、該登録者の認証情報とともに、該アプリケーションサーバに対して発行するアクセス制限変更要求手段と、
該提供先情報を受信すると、該提供先情報を参照した該登録者の該提供先情報に対する回答として、該提供先情報に含まれる各被提供者について、該提供先情報を参照した該登録者によって指定された優先順位を、該提供者端末に返信する応答手段とをそなえて構成され、
該アプリケーションサーバが、
該登録者端末から該登録者の認証情報を受信すると、該認証情報に基づいて該登録者が該電子ファイルに含まれる提供情報の正当な登録者であるか否かの認証判定を行なう登録者認証手段と、
該登録者認証手段により該登録者が正当な登録者であることが認証された場合に、該登録者端末からの該変更要求に応じて、該ファイルアクセス管理サーバに設定されている該電子ファイルに対する該アクセス制限の変更を行なうアクセス制限変更手段とをそなえて構成され、
該提供者端末が、該登録者端末からの該回答である優先順位に従って、優先順位の高い被提供者端末から順に暗号化電子ファイルを配布することを特徴とする、電子ファイル管理システム。
【請求項２】
電子ファイルを提供する提供者側の端末（以下、提供者端末という）と、
該電子ファイルに対するアクセスを管理するファイルアクセス管理サーバと、
該提供者から提供された該電子ファイルに対するアクセスを行なう被提供者側の端末（以下、被提供者端末という）と、
該電子ファイルに含まれる提供情報を該提供者端末に登録する登録者側の端末（以下、登録者端末という）と、
該登録者端末からの要求に応じて、該ファイルアクセス管理サーバにおける、該提供情報を含む電子ファイルについての設定を変更しうるアプリケーションサーバとをそなえて構成され、
該提供者端末が、
該被提供者の該電子ファイルに対するアクセス制限を該ファイルアクセス管理サーバに設定するアクセス制限設定手段と、
所定の暗号鍵を用いて該電子ファイルを暗号化することにより、該被提供者に提供される暗号化電子ファイルを作成する暗号化手段と、
該暗号化電子ファイルを提供する被提供者に関する提供先情報を該登録者端末に通知する提供先通知手段とをそなえて構成され、
該ファイルアクセス管理サーバが、
該暗号化電子ファイルに対するアクセスを行なう該被提供者端末から該被提供者の認証情報を受信すると、該認証情報に基づいて該被提供者が該暗号化電子ファイルの正当な利用者であるか否かの認証判定を行なう被提供者認証手段と、
該被提供者端末による該暗号化電子ファイルに対するアクセスが該アクセス制限内であるか否かの判定を行なう判定手段と、
該被提供者認証手段により該被提供者が正当な利用者であることが認証され且つ該判定手段により該アクセスが該アクセス制限内であると判定された場合に、該暗号化電子ファイルを復号化する復号鍵を該被提供者端末に送信する復号鍵送信手段とをそなえて構成され、
該被提供者端末が、
該暗号化電子ファイルの開封時に該ファイルアクセス管理サーバに対して該被提供者の認証情報を送信して認証要求を行なう認証要求手段と、
該ファイルアクセス管理サーバから該復号鍵を受信すると、該復号鍵を用いて該暗号化電子ファイルを復号化することにより該電子ファイルを復元する復号化手段とをそなえて構成され、
該登録者端末が、
該電子ファイルに含まれる提供情報を該提供者端末に登録する登録手段と、
該ファイルアクセス管理サーバに設定されている、該提供情報を含む電子ファイルに対するアクセス制限の変更要求を、該登録者の認証情報とともに、該アプリケーションサーバに対して発行するアクセス制限変更要求手段と、
該提供先情報を受信すると、該提供先情報を参照した該登録者の該提供先情報に対する回答として、該提供先情報に含まれる各被提供者について、該提供先情報を参照した該登録者によって指定された優先順位を、該提供者端末に返信する応答手段とをそなえて構成され、
該アプリケーションサーバが、
該登録者端末から該登録者の認証情報を受信すると、該認証情報に基づいて該登録者が該電子ファイルに含まれる提供情報の正当な登録者であるか否かの認証判定を行なう登録者認証手段と、
該登録者認証手段により該登録者が正当な登録者であることが認証された場合に、該登録者端末からの該変更要求に応じて、該ファイルアクセス管理サーバに設定されている該電子ファイルに対する該アクセス制限の変更を行なうアクセス制限変更手段とをそなえて構成され、
該提供者端末が、被提供者端末に対し一斉に暗号化電子ファイルを配布した後、該登録者端末からの該回答である優先順位に従って、各被提供者端末に対する対応を行なうことを特徴とする、電子ファイル管理システム。
【請求項３】
該提供者端末が、被提供者端末に対し一斉に暗号化電子ファイルを配布した後、当該暗号化電子ファイルに対する応答を行なった被提供者端末よりも優先順位の高い被提供者端末に対し、当該暗号化電子ファイルに対する応答があった旨を通知することを特徴とする、請求項２記載の電子ファイル管理システム。
【請求項４】
電子ファイルを提供する提供者側の端末（以下、提供者端末という）と、
該電子ファイルに対するアクセスを管理するファイルアクセス管理サーバと、
該提供者から提供された該電子ファイルに対するアクセスを行なう被提供者側の端末（以下、被提供者端末という）と、
該電子ファイルに含まれる提供情報を該提供者端末に登録する登録者側の端末（以下、登録者端末という）と、
該登録者端末からの要求に応じて、該ファイルアクセス管理サーバにおける、該提供情報を含む電子ファイルについての設定を変更しうるアプリケーションサーバとをそなえて構成され、
該提供者端末が、
該被提供者の該電子ファイルに対するアクセス制限を該ファイルアクセス管理サーバに設定するアクセス制限設定手段と、
所定の暗号鍵を用いて該電子ファイルを暗号化することにより、該被提供者に提供される暗号化電子ファイルを作成する暗号化手段と、
該暗号化電子ファイルを提供する被提供者に関する提供先情報を該登録者端末に通知する提供先通知手段とをそなえて構成され、
該ファイルアクセス管理サーバが、
該暗号化電子ファイルに対するアクセスを行なう該被提供者端末から該被提供者の認証情報を受信すると、該認証情報に基づいて該被提供者が該暗号化電子ファイルの正当な利用者であるか否かの認証判定を行なう被提供者認証手段と、
該被提供者端末による該暗号化電子ファイルに対するアクセスが該アクセス制限内であるか否かの判定を行なう判定手段と、
該被提供者認証手段により該被提供者が正当な利用者であることが認証され且つ該判定手段により該アクセスが該アクセス制限内であると判定された場合に、該暗号化電子ファイルを復号化する復号鍵を該被提供者端末に送信する復号鍵送信手段とをそなえて構成され、
該被提供者端末が、
該暗号化電子ファイルの開封時に該ファイルアクセス管理サーバに対して該被提供者の認証情報を送信して認証要求を行なう認証要求手段と、
該ファイルアクセス管理サーバから該復号鍵を受信すると、該復号鍵を用いて該暗号化電子ファイルを復号化することにより該電子ファイルを復元する復号化手段とをそなえて構成され、
該登録者端末が、
該電子ファイルに含まれる提供情報を該提供者端末に登録する登録手段と、
該ファイルアクセス管理サーバに設定されている、該提供情報を含む電子ファイルに対するアクセス制限の変更要求を、該登録者の認証情報とともに、該アプリケーションサーバに対して発行するアクセス制限変更要求手段と、
該提供先情報を受信すると、該提供先情報を参照した該登録者の該提供先情報に対する回答として、該提供先情報を参照した該登録者によって該被提供者毎に指定された、各被提供者に提供されるべき提供情報の内容を、該提供者端末に返信する応答手段とをそなえて構成され、
該アプリケーションサーバが、
該登録者端末から該登録者の認証情報を受信すると、該認証情報に基づいて該登録者が該電子ファイルに含まれる提供情報の正当な登録者であるか否かの認証判定を行なう登録者認証手段と、
該登録者認証手段により該登録者が正当な登録者であることが認証された場合に、該登録者端末からの該変更要求に応じて、該ファイルアクセス管理サーバに設定されている該電子ファイルに対する該アクセス制限の変更を行なうアクセス制限変更手段とをそなえて構成され、
該提供者端末が、該被提供者毎に異なる暗号鍵を用いて、前記回答により被提供者毎に指定された内容を該提供情報として含む電子ファイルを暗号化することにより、該被提供者に提供される暗号化電子ファイルを作成してから、各被提供者端末に対し、異なる内容の暗号化電子ファイルを配布することを特徴とする、電子ファイル管理システム。
【請求項５】
該登録者端末が、該登録手段により該提供情報を該提供者端末に登録する際に、該提供情報を含む電子ファイルに対するアクセス制限を該登録者自身により指定して該提供者端末に通知するアクセス制限通知手段をさらにそなえて構成され、
該提供者端末の該アクセス制限設定手段が、該登録者端末から通知されたアクセス制限を、該被提供者の該電子ファイルに対するアクセス制限として該ファイルアクセス管理サーバに設定することを特徴とする、請求項１〜請求項４のいずれか一項に記載の電子ファイル管理システム。
【請求項６】
該アクセス制限として、該電子ファイルに対するアクセス可能期間が設定されることを特徴とする、請求項１〜請求項５のいずれか一項に記載の電子ファイル管理システム。
【請求項７】
該アクセス制限として、該電子ファイルに対するアクセス権が設定されることを特徴とする、請求項１〜請求項６のいずれか一項に記載の電子ファイル管理システム。
【請求項８】
該被提供者端末が、該電子ファイルの内容に対するクエリを、該被提供者の認証情報とともに、該アプリケーションサーバに対して発行するクエリ発行手段をさらにそなえて構成され、
該アプリケーションサーバが、該被提供者端末から該被提供者の認証情報を受信すると、該認証情報に基づいて該被提供者が該電子ファイルの正当な利用者であるか否かの認証判定を行なう被提供者認証手段をさらにそなえて構成され、
該アプリケーションサーバにおいて、該被提供者認証手段により該被提供者が該電子ファイルの正当な利用者であることが認証された場合に、該アクセス制限変更手段が、該被提供者端末からの該クエリに応じて、該ファイルアクセス管理サーバに設定されている該電子ファイルに対する該アクセス制限の変更を行なうことを特徴とする、請求項１〜請求項７のいずれか一項に記載の電子ファイル管理システム。
【請求項９】
該提供情報が、該登録者の個人情報であることを特徴とする、請求項１〜請求項８のいずれか一項に記載の電子ファイル管理システム。
【請求項１０】
該個人情報として、該登録者の経歴情報が含まれていることを特徴とする、請求項９記載の電子ファイル管理システム。
【請求項１１】
該個人情報として、該登録者に係る画像情報が含まれていることを特徴とする、請求項９または請求項１０に記載の電子ファイル管理システム。
【請求項１２】
該画像情報として、動画像が含まれていることを特徴とする、請求項１１記載の電子ファイル管理システム。
【請求項１３】
該個人情報として、該登録者に係る音声情報が含まれていることを特徴とする、請求項８〜請求項１２のいずれか一項に記載の電子ファイル管理システム。
【請求項１４】
電子ファイルを提供する提供者側の端末（以下、提供者端末という）としてコンピュータを機能させる第１プログラムと、
該電子ファイルに対するアクセスを管理するファイルアクセス管理サーバとしてコンピュータを機能させる第２プログラムと、
該提供者から提供された該電子ファイルに対するアクセスを行なう被提供者側の端末（以下、被提供者端末という）としてコンピュータを機能させる第３プログラムと、
該電子ファイルに含まれる提供情報を該提供者端末に登録する登録者側の端末（以下、登録者端末という）としてコンピュータを機能させる第４プログラムと、
該登録者端末からの要求に応じて、該ファイルアクセス管理サーバにおける、該提供情報を含む電子ファイルについての設定を変更しうるアプリケーションサーバとしてコンピュータを機能させる第５プログラムとのうちの少なくとも一つのプログラムを含み、
該第１プログラムが、
該被提供者の該電子ファイルに対するアクセス制限を該ファイルアクセス管理サーバに設定するアクセス制限設定手段、
所定の暗号鍵を用いて該電子ファイルを暗号化することにより、該被提供者に提供される暗号化電子ファイルを作成する暗号化手段、および、
該暗号化電子ファイルを提供する被提供者に関する提供先情報を該登録者端末に通知する提供先通知手段としてコンピュータを機能させ、
該第２プログラムが、
該暗号化電子ファイルに対するアクセスを行なう該被提供者端末から該被提供者の認証情報を受信すると、該認証情報に基づいて該被提供者が該暗号化電子ファイルの正当な利用者であるか否かの認証判定を行なう被提供者認証手段、
該被提供者端末による該暗号化電子ファイルに対するアクセスが該アクセス制限内であるか否かの判定を行なう判定手段、および、
該被提供者認証手段により該被提供者が正当な利用者であることが認証され且つ該判定手段により該アクセスが該アクセス制限内であると判定された場合に、該暗号化電子ファイルを復号化する復号鍵を該被提供者端末に送信する復号鍵送信手段としてコンピュータを機能させ、
該第３プログラムが、
該暗号化電子ファイルの開封時に該ファイルアクセス管理サーバに対して該被提供者の認証情報を送信して認証要求を行なう認証要求手段、および、
該ファイルアクセス管理サーバから該復号鍵を受信すると、該復号鍵を用いて該暗号化電子ファイルを復号化することにより該電子ファイルを復元する復号化手段としてコンピュータを機能させ、
該第４プログラムが、
該電子ファイルに含まれる提供情報を該提供者端末に登録する登録手段、
該ファイルアクセス管理サーバに設定されている、該提供情報を含む電子ファイルに対するアクセス制限の変更要求を、該登録者の認証情報とともに、該アプリケーションサーバに対して発行するアクセス制限変更要求手段、および、
該提供先情報を受信すると、該提供先情報を参照した該登録者の該提供先情報に対する回答として、該提供先情報に含まれる各被提供者について、該提供先情報を参照した該登録者によって指定された優先順位を、該提供者端末に返信する応答手段としてコンピュータを機能させ、
該第５プログラムが、
該登録者端末から該登録者の認証情報を受信すると、該認証情報に基づいて該登録者が該電子ファイルに含まれる提供情報の正当な登録者であるか否かの認証判定を行なう登録者認証手段、および、
該登録者認証手段により該登録者が正当な登録者であることが認証された場合に、該登録者端末からの該変更要求に応じて、該ファイルアクセス管理サーバに設定されている該電子ファイルに対する該アクセス制限の変更を行なうアクセス制限変更手段としてコンピュータを機能させるとともに、
該第１プログラムが、コンピュータを該提供者端末として機能させる際に、該登録者端末からの該回答である優先順位に従って、優先順位の高い被提供者端末から順に暗号化電子ファイルを配布するように当該コンピュータを機能させることを特徴とする、電子ファイル管理プログラム。
【請求項１５】
電子ファイルを提供する提供者側の端末（以下、提供者端末という）としてコンピュータを機能させる第１プログラムと、
該電子ファイルに対するアクセスを管理するファイルアクセス管理サーバとしてコンピュータを機能させる第２プログラムと、
該提供者から提供された該電子ファイルに対するアクセスを行なう被提供者側の端末（以下、被提供者端末という）としてコンピュータを機能させる第３プログラムと、
該電子ファイルに含まれる提供情報を該提供者端末に登録する登録者側の端末（以下、登録者端末という）としてコンピュータを機能させる第４プログラムと、
該登録者端末からの要求に応じて、該ファイルアクセス管理サーバにおける、該提供情報を含む電子ファイルについての設定を変更しうるアプリケーションサーバとしてコンピュータを機能させる第５プログラムとのうちの少なくとも一つのプログラムを含み、
該第１プログラムが、
該被提供者の該電子ファイルに対するアクセス制限を該ファイルアクセス管理サーバに設定するアクセス制限設定手段、
所定の暗号鍵を用いて該電子ファイルを暗号化することにより、該被提供者に提供される暗号化電子ファイルを作成する暗号化手段、および、
該暗号化電子ファイルを提供する被提供者に関する提供先情報を該登録者端末に通知する提供先通知手段としてコンピュータを機能させ、
該第２プログラムが、
該暗号化電子ファイルに対するアクセスを行なう該被提供者端末から該被提供者の認証情報を受信すると、該認証情報に基づいて該被提供者が該暗号化電子ファイルの正当な利用者であるか否かの認証判定を行なう被提供者認証手段、
該被提供者端末による該暗号化電子ファイルに対するアクセスが該アクセス制限内であるか否かの判定を行なう判定手段、および、
該被提供者認証手段により該被提供者が正当な利用者であることが認証され且つ該判定手段により該アクセスが該アクセス制限内であると判定された場合に、該暗号化電子ファイルを復号化する復号鍵を該被提供者端末に送信する復号鍵送信手段としてコンピュータを機能させ、
該第３プログラムが、
該暗号化電子ファイルの開封時に該ファイルアクセス管理サーバに対して該被提供者の認証情報を送信して認証要求を行なう認証要求手段、および、
該ファイルアクセス管理サーバから該復号鍵を受信すると、該復号鍵を用いて該暗号化電子ファイルを復号化することにより該電子ファイルを復元する復号化手段としてコンピュータを機能させ、
該第４プログラムが、
該電子ファイルに含まれる提供情報を該提供者端末に登録する登録手段、
該ファイルアクセス管理サーバに設定されている、該提供情報を含む電子ファイルに対するアクセス制限の変更要求を、該登録者の認証情報とともに、該アプリケーションサーバに対して発行するアクセス制限変更要求手段、および、
該提供先情報を受信すると、該提供先情報を参照した該登録者の該提供先情報に対する回答として、該提供先情報を参照した該登録者によって該被提供者毎に指定された、各被提供者に提供されるべき提供情報の内容を、該提供者端末に返信する応答手段としてコンピュータを機能させ、
該第５プログラムが、
該登録者端末から該登録者の認証情報を受信すると、該認証情報に基づいて該登録者が該電子ファイルに含まれる提供情報の正当な登録者であるか否かの認証判定を行なう登録者認証手段、および、
該登録者認証手段により該登録者が正当な登録者であることが認証された場合に、該登録者端末からの該変更要求に応じて、該ファイルアクセス管理サーバに設定されている該電子ファイルに対する該アクセス制限の変更を行なうアクセス制限変更手段としてコンピュータを機能させるとともに、
該第１プログラムが、コンピュータを該提供者端末として機能させる際に、被提供者端末に対し一斉に暗号化電子ファイルを配布した後、該登録者端末からの該回答である優先順位に従って、各被提供者端末に対する対応を行なうように当該コンピュータを機能させることを特徴とする、電子ファイル管理プログラム。
【請求項１６】
該第１プログラムが、コンピュータを該提供者端末として機能させる際に、被提供者端末に対し一斉に暗号化電子ファイルを配布した後、当該暗号化電子ファイルに対する応答を行なった被提供者端末よりも優先順位の高い被提供者端末に対し、当該暗号化電子ファイルに対する応答があった旨を通知するように当該コンピュータを機能させることを特徴とする、請求項１５記載の電子ファイル管理プログラム。
【請求項１７】
電子ファイルを提供する提供者側の端末（以下、提供者端末という）としてコンピュータを機能させる第１プログラムと、
該電子ファイルに対するアクセスを管理するファイルアクセス管理サーバとしてコンピュータを機能させる第２プログラムと、
該提供者から提供された該電子ファイルに対するアクセスを行なう被提供者側の端末（以下、被提供者端末という）としてコンピュータを機能させる第３プログラムと、
該電子ファイルに含まれる提供情報を該提供者端末に登録する登録者側の端末（以下、登録者端末という）としてコンピュータを機能させる第４プログラムと、
該登録者端末からの要求に応じて、該ファイルアクセス管理サーバにおける、該提供情報を含む電子ファイルについての設定を変更しうるアプリケーションサーバとしてコンピュータを機能させる第５プログラムとのうちの少なくとも一つのプログラムを含み、
該第１プログラムが、
該被提供者の該電子ファイルに対するアクセス制限を該ファイルアクセス管理サーバに設定するアクセス制限設定手段、
所定の暗号鍵を用いて該電子ファイルを暗号化することにより、該被提供者に提供される暗号化電子ファイルを作成する暗号化手段、および、
該暗号化電子ファイルを提供する被提供者に関する提供先情報を該登録者端末に通知する提供先通知手段としてコンピュータを機能させ、
該第２プログラムが、
該暗号化電子ファイルに対するアクセスを行なう該被提供者端末から該被提供者の認証情報を受信すると、該認証情報に基づいて該被提供者が該暗号化電子ファイルの正当な利用者であるか否かの認証判定を行なう被提供者認証手段、
該被提供者端末による該暗号化電子ファイルに対するアクセスが該アクセス制限内であるか否かの判定を行なう判定手段、および、
該被提供者認証手段により該被提供者が正当な利用者であることが認証され且つ該判定手段により該アクセスが該アクセス制限内であると判定された場合に、該暗号化電子ファイルを復号化する復号鍵を該被提供者端末に送信する復号鍵送信手段としてコンピュータを機能させ、
該第３プログラムが、
該暗号化電子ファイルの開封時に該ファイルアクセス管理サーバに対して該被提供者の認証情報を送信して認証要求を行なう認証要求手段、および、
該ファイルアクセス管理サーバから該復号鍵を受信すると、該復号鍵を用いて該暗号化電子ファイルを復号化することにより該電子ファイルを復元する復号化手段としてコンピュータを機能させ、
該第４プログラムが、
該電子ファイルに含まれる提供情報を該提供者端末に登録する登録手段、
該ファイルアクセス管理サーバに設定されている、該提供情報を含む電子ファイルに対するアクセス制限の変更要求を、該登録者の認証情報とともに、該アプリケーションサーバに対して発行するアクセス制限変更要求手段、および、
該提供先情報を受信すると、該提供先情報を参照した該登録者の該提供先情報に対する回答として、該提供先情報に含まれる各被提供者について、該提供先情報を参照した該登録者によって指定された優先順位を、該提供者端末に返信する応答手段としてコンピュータを機能させ、
該第５プログラムが、
該登録者端末から該登録者の認証情報を受信すると、該認証情報に基づいて該登録者が該電子ファイルに含まれる提供情報の正当な登録者であるか否かの認証判定を行なう登録者認証手段、および、
該登録者認証手段により該登録者が正当な登録者であることが認証された場合に、該登録者端末からの該変更要求に応じて、該ファイルアクセス管理サーバに設定されている該電子ファイルに対する該アクセス制限の変更を行なうアクセス制限変更手段としてコンピュータを機能させるとともに、
該第１プログラムが、コンピュータを該提供者端末として機能させる際に、該被提供者毎に異なる暗号鍵を用いて、前記回答により被提供者毎に指定された内容を該提供情報として含む電子ファイルを暗号化することにより、該被提供者に提供される暗号化電子ファイルを作成してから、各被提供者端末に対し、異なる内容の暗号化電子ファイルを配布するように当該コンピュータを機能させることを特徴とする、電子ファイル管理プログラム。
【請求項１８】
該第４プログラムが、コンピュータを該登録者端末として機能させ該登録手段により該提供情報を該提供者端末に登録する際に、該提供情報を含む電子ファイルに対するアクセス制限を該登録者自身により指定して該提供者端末に通知するアクセス制限通知手段として当該コンピュータをさらに機能させ、
該第２プログラムが、コンピュータを該アクセス制限設定手段として機能させる際に、該登録者端末から通知されたアクセス制限を、該被提供者の該電子ファイルに対するアクセス制限として該ファイルアクセス管理サーバに設定するように当該コンピュータを機能させることを特徴とする、請求項１４〜請求項１７のいずれか一項に記載の電子ファイル管理プログラム。
【請求項１９】
該アクセス制限として、該電子ファイルに対するアクセス可能期間を設定することを特徴とする、請求項１４〜請求項１８のいずれか一項に記載の電子ファイル管理プログラム。
【請求項２０】
該アクセス制限として、該電子ファイルに対するアクセス権を設定することを特徴とする、請求項１４〜請求項１９のいずれか一項に記載の電子ファイル管理プログラム。
【請求項２１】
該第３プログラムが、コンピュータを該被提供者端末として機能させる際に、該電子ファイルの内容に対するクエリを、該被提供者の認証情報とともに、該アプリケーションサーバに対して発行するクエリ発行手段として当該コンピュータをさらに機能させ、
該第５プログラムが、コンピュータを該アプリケーションサーバとして機能させる際に、該被提供者端末から該被提供者の認証情報を受信すると、該認証情報に基づいて該被提供者が該電子ファイルの正当な利用者であるか否かの認証判定を行なう被提供者認証手段として当該コンピュータをさらに機能させるとともに、該被提供者認証手段により該被提供者が該電子ファイルの正当な利用者であることが認証された場合に、該アクセス制限変更手段が、該被提供者端末からの該クエリに応じて、該ファイルアクセス管理サーバに設定されている該電子ファイルに対する該アクセス制限の変更を行なうように当該コンピュータを機能させることを特徴とする、請求項１４〜請求項２０のいずれか一項に記載の電子ファイル管理プログラム。
【請求項２２】
該第５プログラムが、コンピュータを該アプリケーションサーバとして機能させる際に、該アクセス制限変更手段が、該クエリに応じて、該ファイルアクセス管理サーバに設定されている該電子ファイルに対する該アクセス制限の変更を行なうことにより、当該クエリを発行した被提供者端末以外の被提供者端末の、当該電子ファイルに対するアクセスを禁止するように当該コンピュータを機能させることを特徴とする、請求項２１記載の電子ファイル管理プログラム。
【請求項２３】
該第５プログラムが、コンピュータを該アプリケーションサーバとして機能させる際に、該アクセス制限変更手段が、当該電子ファイルに対するアクセスの禁止期限を設定し、当該クエリを発行した被提供者端末が該禁止期限内に該アプリケーションサーバに対して所定クエリを発行しなかった場合には、当該電子ファイルに対するアクセスの禁止を解除するように当該コンピュータを機能させることを特徴とする、請求項２２記載の電子ファイル管理プログラム。
【手続補正２】
【補正対象書類名】明細書
【補正対象項目名】０００８
【補正方法】変更
【補正の内容】
【０００８】
上記目的を達成するために、本発明の電子ファイル管理システムは、電子ファイルを提供する提供者側の端末（以下、提供者端末という）と、該電子ファイルに対するアクセスを管理するファイルアクセス管理サーバと、該提供者から提供された該電子ファイルに対するアクセスを行なう被提供者側の端末（以下、被提供者端末という）と、該電子ファイルに含まれる提供情報を該提供者端末に登録する登録者側の端末（以下、登録者端末という）と、該登録者端末からの要求に応じて、該ファイルアクセス管理サーバにおける、該提供情報を含む電子ファイルについての設定を変更しうるアプリケーションサーバとをそなえて構成され、該提供者端末が、該被提供者の該電子ファイルに対するアクセス制限を該ファイルアクセス管理サーバに設定するアクセス制限設定手段と、所定の暗号鍵を用いて該電子ファイルを暗号化することにより、該被提供者に提供される暗号化電子ファイルを作成する暗号化手段と、該暗号化電子ファイルを提供する被提供者に関する提供先情報を該登録者端末に通知する提供先通知手段とをそなえて構成され、該ファイルアクセス管理サーバが、該暗号化電子ファイルに対するアクセスを行なう該被提供者端末から該被提供者の認証情報を受信すると、該認証情報に基づいて該被提供者が該暗号化電子ファイルの正当な利用者であるか否かの認証判定を行なう被提供者認証手段と、該被提供者端末による該暗号化電子ファイルに対するアクセスが該アクセス制限内であるか否かの判定を行なう判定手段と、該被提供者認証手段により該被提供者が正当な利用者であることが認証され且つ該判定手段により該アクセスが該アクセス制限内であると判定された場合に、該暗号化電子ファイルを復号化する復号鍵を該被提供者端末に送信する復号鍵送信手段とをそなえて構成され、該被提供者端末が、該暗号化電子ファイルの開封時に該ファイルアクセス管理サーバに対して該被提供者の認証情報を送信して認証要求を行なう認証要求手段と、該ファイルアクセス管理サーバから該復号鍵を受信すると、該復号鍵を用いて該暗号化電子ファイルを復号化することにより該電子ファイルを復元する復号化手段とをそなえて構成され、該登録者端末が、該電子ファイルに含まれる提供情報を該提供者端末に登録する登録手段と、該ファイルアクセス管理サーバに設定されている、該提供情報を含む電子ファイルに対するアクセス制限の変更要求を、該登録者の認証情報とともに、該アプリケーションサーバに対して発行するアクセス制限変更要求手段と、該提供先情報を受信すると、該提供先情報を参照した該登録者の該提供先情報に対する回答として、該提供先情報に含まれる各被提供者について、該提供先情報を参照した該登録者によって指定された優先順位を、該提供者端末に返信する応答手段とをそなえて構成され、該アプリケーションサーバが、該登録者端末から該登録者の認証情報を受信すると、該認証情報に基づいて該登録者が該電子ファイルに含まれる提供情報の正当な登録者であるか否かの認証判定を行なう登録者認証手段と、該登録者認証手段により該登録者が正当な登録者であることが認証された場合に、該登録者端末からの該変更要求に応じて、該ファイルアクセス管理サーバに設定されている該電子ファイルに対する該アクセス制限の変更を行なうアクセス制限変更手段とをそなえて構成され、該提供者端末が、該登録者端末からの該回答である優先順位に従って、優先順位の高い被提供者端末から順に暗号化電子ファイルを配布することを特徴としている。
また、本発明の電子ファイル管理システムは、上述と同様の提供者端末，ファイルアクセス管理サーバ，被提供者端末，登録者端末およびアプリケーションサーバをそなえて構成され、該提供者端末が、被提供者端末に対し一斉に暗号化電子ファイルを配布した後、該登録者端末からの該回答である優先順位に従って、各被提供者端末に対する対応を行なうことを特徴としている。このとき、該提供者端末が、被提供者端末に対し一斉に暗号化電子ファイルを配布した後、当該暗号化電子ファイルに対する応答を行なった被提供者端末よりも優先順位の高い被提供者端末に対し、当該暗号化電子ファイルに対する応答があった旨を通知するようにしてもよい。
さらに、本発明の電子ファイル管理システムは、上述と同様の提供者端末，ファイルアクセス管理サーバ，被提供者端末，登録者端末およびアプリケーションサーバをそなえて構成され、該登録者端末の応答手段が、該提供先情報を受信すると、該提供先情報を参照した該登録者の該提供先情報に対する回答として、該提供先情報を参照した該登録者によって該被提供者毎に指定された、各被提供者に提供されるべき提供情報の内容を、該提供者端末に返信するとともに、該提供者端末が、該被提供者毎に異なる暗号鍵を用いて、前記回答により被提供者毎に指定された内容を該提供情報として含む電子ファイルを暗号化することにより、該被提供者に提供される暗号化電子ファイルを作成してから、各被提供者端末に対し、異なる内容の暗号化電子ファイルを配布することを特徴としている。
【手続補正３】
【補正対象書類名】明細書
【補正対象項目名】００１０
【補正方法】削除
【補正の内容】
【手続補正４】
【補正対象書類名】明細書
【補正対象項目名】００１２
【補正方法】変更
【補正の内容】
【００１２】
そして、本発明の電子ファイル管理プログラムは、電子ファイルを提供する提供者側の端末（以下、提供者端末という）としてコンピュータを機能させる第１プログラムと、該電子ファイルに対するアクセスを管理するファイルアクセス管理サーバとしてコンピュータを機能させる第２プログラムと、該提供者から提供された該電子ファイルに対するアクセスを行なう被提供者側の端末（以下、被提供者端末という）としてコンピュータを機能させる第３プログラムと、該電子ファイルに含まれる提供情報を該提供者端末に登録する登録者側の端末（以下、登録者端末という）としてコンピュータを機能させる第４プログラムと、該登録者端末からの要求に応じて、該ファイルアクセス管理サーバにおける、該提供情報を含む電子ファイルについての設定を変更しうるアプリケーションサーバとしてコンピュータを機能させる第５プログラムとのうちの少なくとも一つのプログラムを含み、該第１プログラムが、該被提供者の該電子ファイルに対するアクセス制限を該ファイルアクセス管理サーバに設定するアクセス制限設定手段、所定の暗号鍵を用いて該電子ファイルを暗号化することにより、該被提供者に提供される暗号化電子ファイルを作成する暗号化手段および、該暗号化電子ファイルを提供する被提供者に関する提供先情報を該登録者端末に通知する提供先通知手段としてコンピュータを機能させ、該第２プログラムが、該暗号化電子ファイルに対するアクセスを行なう該被提供者端末から該被提供者の認証情報を受信すると、該認証情報に基づいて該被提供者が該暗号化電子ファイルの正当な利用者であるか否かの認証判定を行なう被提供者認証手段、該被提供者端末による該暗号化電子ファイルに対するアクセスが該アクセス制限内であるか否かの判定を行なう判定手段、および、該被提供者認証手段により該被提供者が正当な利用者であることが認証され且つ該判定手段により該アクセスが該アクセス制限内であると判定された場合に、該暗号化電子ファイルを復号化する復号鍵を該被提供者端末に送信する復号鍵送信手段としてコンピュータを機能させ、該第３プログラムが、該暗号化電子ファイルの開封時に該ファイルアクセス管理サーバに対して該被提供者の認証情報を送信して認証要求を行なう認証要求手段、および、該ファイルアクセス管理サーバから該復号鍵を受信すると、該復号鍵を用いて該暗号化電子ファイルを復号化することにより該電子ファイルを復元する復号化手段としてコンピュータを機能させ、該第４プログラムが、該電子ファイルに含まれる提供情報を該提供者端末に登録する登録手段、該ファイルアクセス管理サーバに設定されている、該提供情報を含む電子ファイルに対するアクセス制限の変更要求を、該登録者の認証情報とともに、該アプリケーションサーバに対して発行するアクセス制限変更要求手段、および、該提供先情報を受信すると、該提供先情報を参照した該登録者の該提供先情報に対する回答として、該提供先情報に含まれる各被提供者について、該提供先情報を参照した該登録者によって指定された優先順位を、該提供者端末に返信する応答手段としてコンピュータを機能させ、該第５プログラムが、該登録者端末から該登録者の認証情報を受信すると、該認証情報に基づいて該登録者が該電子ファイルに含まれる提供情報の正当な登録者であるか否かの認証判定を行なう登録者認証手段、および、該登録者認証手段により該登録者が正当な登録者であることが認証された場合に、該登録者端末からの該変更要求に応じて、該ファイルアクセス管理サーバに設定されている該電子ファイルに対する該アクセス制限の変更を行なうアクセス制限変更手段としてコンピュータを機能させるとともに、該第１プログラムが、コンピュータを該提供者端末として機能させる際に、該登録者端末からの該回答である優先順位に従って、優先順位の高い被提供者端末から順に暗号化電子ファイルを配布するように当該コンピュータを機能させることを特徴としている。
また、本発明の電子ファイル管理プログラムは、上述と同様の第１〜第５プログラムのうちの少なくとも一つのプログラムを含み、該第１プログラムが、コンピュータを該提供者端末として機能させる際に、被提供者端末に対し一斉に暗号化電子ファイルを配布した後、該登録者端末からの該回答である優先順位に従って、各被提供者端末に対する対応を行なうように当該コンピュータを機能させることを特徴としている。このとき、該第１プログラムが、コンピュータを該提供者端末として機能させる際に、被提供者端末に対し一斉に暗号化電子ファイルを配布した後、当該暗号化電子ファイルに対する応答を行なった被提供者端末よりも優先順位の高い被提供者端末に対し、当該暗号化電子ファイルに対する応答があった旨を通知するように当該コンピュータを機能させてもよい。
さらに、本発明の電子ファイル管理プログラムは、上述と同様の第１〜第５プログラムのうちの少なくとも一つのプログラムを含み、該第４プログラムが、コンピュータを該応答手段として機能させる際に、該提供先情報を受信すると、該提供先情報を参照した該登録者の該提供先情報に対する回答として、該提供先情報に含まれる各被提供者について、該提供先情報を参照した該登録者によって指定された優先順位を、該提供者端末に返信する応答手段として当該コンピュータを機能させるとともに、該第１プログラムが、コンピュータを該提供者端末として機能させる際に、該被提供者毎に異なる暗号鍵を用いて、前記回答により被提供者毎に指定された内容を該提供情報として含む電子ファイルを暗号化することにより、該被提供者に提供される暗号化電子ファイルを作成してから、各被提供者端末に対し、異なる内容の暗号化電子ファイルを配布するように当該コンピュータを機能させることを特徴としている。
【手続補正５】
【補正対象書類名】明細書
【補正対象項目名】００１４
【補正方法】削除
【補正の内容】
【手続補正６】
【補正対象書類名】明細書
【補正対象項目名】００１５
【補正方法】削除
【補正の内容】
【手続補正７】
【補正対象書類名】明細書
【補正対象項目名】００２２
【補正方法】変更
【補正の内容】
【００２２】
さらに、電子ファイルの提供先情報が提供者端末から登録者に通知され、登録者は、その通知内容に対する回答を返信することができるので、登録者は、自分の提供情報がどこに提供される（提供された）かを認識できるだけでなく、自分の提供情報を含む電子ファイルが提供者によって配布される際に自分の要望・意志を反映させることが可能になる。
【手続補正８】
【補正対象書類名】明細書
【補正対象項目名】００２３
【補正方法】変更
【補正の内容】
【００２３】
特に、登録者端末から被提供者の優先順位を上記回答として返信することにより、登録者は、提供先情報に含まれる各被提供者に対し、優先順位を指定して付与することができ、提供者端末は、その優先順位に従って、暗号化電子ファイルの配布や、各被提供者端末に対する対応を行なうことが可能になる。この場合、例えば、優先順位の順序に従って時期をずらしながら暗号化電子ファイルを配布することにより、登録者の希望に応じた提供情報の配布を行なうことが可能になる。また、暗号化電子ファイルを提供者端末に対して一斉に配布した後、上記優先順位に従って、各被提供者端末に対する対応を行なってもよく、この場合、例えば、登録者の提供情報を含む暗号化電子ファイルに対し、優先順位の低い被提供者端末からクエリ（リザーブ要求／決定要求）が発行されると、そのクエリを発行した被提供者端末よりも優先順位の高い被提供者端末に対し、当該暗号化電子ファイルに対しクエリが発行されている旨を通知し、当該暗号化電子ファイルに含まれる提供情報についての検討を促すことにより、より優先順位の高い被提供者が、その登録者についての暗号化電子ファイルに含まれる提供情報について検討する機会を、明示的に与えられ、人材派遣の採用を望む登録者にとって、自分で設定した優先順位の中でより上位の派遣先企業によって採用される可能性を高めることができる。